(57)【要約】  本発明はチャネルリソース割振り方法、基地局デバイス、端末デバイス及び通信システムを提供する。セルブロードキャストメッセージを端末デバイスに送信する段階であって、セルブロードキャストメッセージがコモンエンハンスト専用チャネルリソースに対応する、第1パラメータ構成の記述情報および第2パラメータ構成の記述情報を含み、第1パラメータ構成が第1送信時間間隔TTIを対象とし、第2パラメータ構成が第1TTIとは異なる第2TTIを対象とする段階と、端末デバイスによって送信された指示情報を受信する段階であって、指示情報が端末デバイスが選択TTIとして第1TTIまたは第2TTIの選択を示す段階と、指示情報に従ってコモンエンハンスト専用チャネルリソースを端末デバイスに割り振る段階とを含む。本発明ではセル中で複数のTTIが構成され、複数のTTIのパラメータ構成情報が端末デバイスにブロードキャストされる。
2014511080.tif 000002
【特許請求の範囲】
【請求項１】
チャネルリソースを割り振る方法であって、
セルブロードキャストメッセージを端末デバイスに送信する段階であって、前記セルブロードキャストメッセージが、コモンエンハンスト専用チャネルリソースに対応する、第1のパラメータ構成の記述情報および第2のパラメータ構成の記述情報を含み、前記第1のパラメータ構成が第1の送信時間間隔(TTI)に特有であり、前記第2のパラメータ構成が、前記第1のTTIとは異なる第2の送信時間間隔(TTI)に特有である段階と、
前記端末デバイスから送信された指示情報を受信する段階であって、前記指示情報が、前記端末デバイスが使用TTIとして前記第1のTTIまたは前記第2のTTIを選択することを示すものである段階と、
前記指示情報に従ってコモンエンハンスト専用チャネルリソースを前記端末デバイスに割り振る段階とを含むことを特徴とする方法。
【請求項２】
前記セルブロードキャストメッセージを前記端末デバイスに送信する前記段階が、
前記セルブロードキャストメッセージを前記端末デバイスに送信する段階であって、前記セルブロードキャストメッセージ中で、前記コモンエンハンスト専用チャネルリソースが、前記第1のTTIに特有の第1のリソースサブセットと前記第2のTTIに特有の第2のリソースサブセットとにグループ化された段階を含むことを特徴とする、請求項1に記載の方法。
【請求項３】
前記指示情報に従って前記コモンエンハンスト専用チャネルリソースを前記端末デバイスに割り振る前記段階が、
前記選択されたTTIが前記第1のTTIであることを前記指示情報が示すときに、前記第1のリソースサブセット中のコモンエンハンスト専用チャネルリソースを前記端末デバイスに割り振り、前記選択されたTTIが前記第2のTTIであることを前記指示情報が示すときに、前記第2のリソースサブセット中のコモンエンハンスト専用チャネルリソースを前記端末デバイスに割り振る段階を含むことを特徴とする、請求項2に記載の方法。
【請求項４】
前記端末デバイスに対する拒否回数を記録する段階と、
前記記録された回数を無線ネットワークコントローラに送信する段階とをさらに含み、それにより前記無線ネットワークコントローラが前記回数に従って前記第1のリソースサブセットおよび前記第2のリソースサブセット中のコモンエンハンスト専用チャネルリソースを調整することを特徴とする、請求項2に記載の方法。
【請求項５】
チャネルリソースを割り振る方法であって、
セルブロードキャストメッセージをネットワーク側から受信する段階であって、前記セルブロードキャストメッセージが、コモンエンハンスト専用チャネルリソースに対応する、第1のパラメータ構成の記述情報および第2のパラメータ構成の記述情報を含み、前記第1のパラメータ構成が第1の送信時間間隔(TTI)に特有であり、第2のパラメータ構成が、前記第1のTTIとは異なる第2のTTIに特有である段階と、
使用TTIとして前記第1のTTIまたは前記第2のTTIを選択し、前記選択したTTIの指示情報を生成する段階と、
前記ネットワーク側が前記指示情報に従ってコモンエンハンスト専用チャネルリソースを割り振るよう、前記指示情報を前記ネットワーク側に送信する段階とを含むことを特徴とする方法。
【請求項６】
前記セルブロードキャストメッセージを前記ネットワーク側から受信する前記段階が、
前記セルブロードキャストメッセージを受信する段階であって、前記セルブロードキャストメッセージ中で、前記コモンエンハンスト専用チャネルリソースが、前記第1のTTIに特有の第1のリソースサブセットと前記第2のTTIに特有の第2のリソースサブセットとにグループ化された段階を含むことを特徴とする、請求項5に記載の方法。
【請求項７】
チャネルリソースを割り振る方法であって、
セルブロードキャストメッセージを端末デバイスに送信する段階であって、前記セルブロードキャストメッセージが、コモンエンハンスト専用チャネルリソースに対応する、第1のパラメータ構成の記述情報および第2のパラメータ構成の記述情報を含み、前記第1のパラメータ構成が第1の送信時間間隔(TTI)に特有であり、前記第2のパラメータ構成が、前記第1のTTIとは異なる第2のTTIに特有である段階と、
使用TTIとして前記第1のTTIまたは前記第2のTTIを選択する段階と、
前記選択されたTTIを前記端末デバイスに通知する段階と、
前記選択されたTTIに従ってコモンエンハンスト専用チャネルリソースを前記端末デバイスに割り振る段階とを含むことを特徴とする方法。
【請求項８】
チャネルリソースを割り振る方法であって、
セルブロードキャストメッセージをネットワーク側から受信する段階であって、前記セルブロードキャストメッセージが、コモンエンハンスト専用チャネルリソースに対応する、第1のパラメータ構成の記述情報および第2のパラメータ構成の記述情報を含み、前記第1のパラメータ構成が第1の送信時間間隔(TTI)に特有であり、前記第2のパラメータ構成が、前記第1のTTIとは異なる第2のTTIに特有である段階と、
指示情報を前記ネットワーク側から受信する段階であって、前記指示情報が、前記ネットワーク側デバイスが使用TTIとして前記第1のTTIまたは前記第2のTTIを選択することを示すものである段階と、
前記選択されたTTIに従って前記ネットワーク側によって割り振られたコモンエンハンスト専用チャネルリソースを受信する段階とを含むことを特徴とする方法。
【請求項９】
セルブロードキャストメッセージを端末デバイスに送信するように構成されたブロードキャスティングユニットであって、前記セルブロードキャストメッセージが、コモンエンハンスト専用チャネルリソースに対応する、第1のパラメータ構成の記述情報および第2のパラメータ構成の記述情報を含み、前記第1のパラメータ構成が第1の送信時間間隔(TTI)に特有であり、前記第2のパラメータ構成が、前記第1のTTIとは異なる第2のTTIに特有であるブロードキャスティングユニットと、
前記端末デバイスから送信された指示情報を受信するように構成された受信ユニットであって、前記指示情報が、前記端末デバイスが使用TTIとして前記第1のTTIまたは前記第2のTTIを選択することを示すものである受信ユニットと、
前記指示情報に従ってコモンエンハンスト専用チャネルリソースを前記端末デバイスに割り振るように構成された割振りユニットとを備えることを特徴とする基地局デバイス。
【請求項１０】
前記ブロードキャスティングユニットが前記セルブロードキャストメッセージを前記端末デバイスに送信し、前記セルブロードキャストメッセージ中で、前記コモンエンハンスト専用チャネルリソースが、前記第1のTTIに特有の第1のリソースサブセットと前記第2のTTIに特有の第2のリソースサブセットとにグループ化されたことを特徴とする、請求項9に記載の基地局デバイス。
【請求項１１】
前記割振りユニットが、前記選択されたTTIが前記第1のTTIであることを前記指示情報が示すときに、前記第1のリソースサブセット中のコモンエンハンスト専用チャネルリソースを前記端末デバイスに割り振り、前記選択されたTTIが前記第2のTTIであることを前記指示情報が示すときに、前記第2のリソースサブセット中のコモンエンハンスト専用チャネルリソースを前記端末デバイスに割り振ることを特徴とする、請求項10に記載の基地局デバイス。
【請求項１２】
前記端末デバイスに対する拒否回数を記録して、前記記録された回数を無線ネットワークコントローラに送信するように構成された記録ユニットをさらに備え、それにより前記無線ネットワークコントローラが前記回数に従って前記第1のリソースサブセットおよび前記第2のリソースサブセット中の前記コモンエンハンスト専用チャネルリソースを調整することを特徴とする、請求項10に記載の基地局デバイス。
【請求項１３】
セルブロードキャストメッセージを端末デバイスに送信するように構成されたブロードキャスティングユニットであって、前記セルブロードキャストメッセージが、コモンエンハンスト専用チャネルリソースに対応する、第1のパラメータ構成の記述情報および第2のパラメータ構成の記述情報を含み、前記第1のパラメータ構成が第1の送信時間間隔(TTI)に特有であり、前記第2のパラメータ構成が、前記第1のTTIとは異なる第2のTTIに特有であるブロードキャスティングユニットと、
使用TTIとして前記第1のTTIまたは前記第2のTTIを選択するように構成された選択ユニットと、
前記選択されたTTIを前記端末デバイスに通知するように構成された通知ユニットと、
前記選択されたTTIに従ってコモンエンハンスト専用チャネルリソースを前記端末デバイスに割り振るように構成された割振りユニットとを備えることを特徴とする基地局デバイス。
【請求項１４】
セルブロードキャストメッセージをネットワーク側から受信するように構成された受信ユニットであって、前記セルブロードキャストメッセージが、コモンエンハンスト専用チャネルリソースに対応する、第1のパラメータ構成の記述情報および第2のパラメータ構成の記述情報を含み、前記第1のパラメータ構成が第1の送信時間間隔(TTI)に特有であり、前記第2のパラメータ構成が、前記第1のTTIとは異なる第2のTTIに特有である受信ユニットと、
使用TTIとして前記第1のTTIまたは前記第2のTTIを選択し、前記選択したTTIの指示情報を生成するように構成された選択ユニットと、
前記ネットワーク側が前記指示情報に従ってコモンエンハンスト専用チャネルリソースを割り振るよう、前記指示情報を前記ネットワーク側に送信するように構成された送信ユニットとを備えることを特徴とする端末デバイス。
【請求項１５】
前記受信ユニットがさらに、前記割り振られたコモンエンハンスト専用チャネルリソースの通知を受信するように構成され、
前記選択ユニットがさらに、前記選択したTTIに従って前記第1のパラメータ構成または前記第2のパラメータ構成を選択するように構成されたことを特徴とする、請求項14に記載の端末デバイス。
【請求項１６】
前記受信ユニットが前記セルブロードキャストメッセージを受信し、前記セルブロードキャストメッセージ中で、前記コモンエンハンスト専用チャネルリソースが、前記第1のTTIに特有の第1のリソースサブセットと前記第2のTTIに特有の第2のリソースサブセットとにグループ化されたことを特徴とする、請求項14に記載の端末デバイス。
【請求項１７】
端末デバイスであって、
セルブロードキャストメッセージをネットワーク側から受信するように構成された受信ユニットを備え、前記セルブロードキャストメッセージが、コモンエンハンスト専用チャネルリソースに対応する、第1のパラメータ構成の記述情報および第2のパラメータ構成の記述情報を含み、前記第1のパラメータ構成が第1の送信時間間隔(TTI)に特有であり、前記第2のパラメータ構成が、前記第1のTTIとは異なる第2のTTIに特有であり、
前記受信ユニットがさらに、指示情報を前記ネットワーク側から受信するように構成され、前記指示情報が、前記ネットワーク側デバイスが使用TTIとして前記第1のTTIまたは前記第2のTTIを選択することを示し、
前記受信ユニットがさらに、前記選択されたTTIに従って前記ネットワーク側によって割り振られたコモンエンハンスト専用チャネルリソースを受信するように構成されたことを特徴とする端末デバイス。
【請求項１８】
請求項9から13のいずれか一項に記載の基地局デバイスと、
請求項14から17のいずれか一項に記載の端末デバイスとを備えることを特徴とする通信システム。
【請求項１９】
前記基地局デバイスによって記録された、前記端末デバイスに対する拒否回数を受信し、前記回数に従って前記第1のリソースサブセットおよび前記第2のリソースサブセット中の前記コモンエンハンスト専用チャネルリソースを調整するように構成された無線ネットワークコントローラをさらに備えることを特徴とする、請求項18に記載の通信システム。
【発明の詳細な説明】
【技術分野】
【０００１】
本出願は、参照によりその全体が本明細書に組み込まれる、2011年4月2日に中国特許庁に出願された「METHOD FOR ALLOCATING CHANNEL RESOURCE, BASE STATION DEVICE, TERMINAL DEVICE, AND COMMUNICATION SYSTEM」という名称の中国特許出願第201110083708.4号に対する優先権を主張するものである。
【０００２】
本発明の実施形態は、ワイヤレス通信の分野に関し、特に、チャネルリソースを割り振る方法、基地局デバイス、端末デバイス、および通信システムに関する。
【背景技術】
【０００３】
3GPP(The 3rd Generation Partnership Project、第3世代パートナーシッププロジェクト)UMTS(Universal Mobile Telecommunications System、ユニバーサルモバイルテレコミュニケーションズシステム)R8バージョンでは、遊休(idle)モードまたはCELL_FACH(CELL Forward Access Channel、セルフォワードアクセスチャネル)状態のUE(User Equipment、ユーザ機器)に関して、アップリンク送信遅延を低減しアップリンク送信レートを上げるために、エンハンストRACH(Random Access Channel、ランダムアクセスチャネル)と呼ばれる新しい機能が採用される。エンハンストRACHは、R99バージョンにおけるランダムアクセスを向上させる。エンハンストランダムアクセスは、RACHの代わりとするためのE-DCH(Enhanced Dedicated Channel、エンハンスト専用チャネル)を採用して、アップリンク送信を実施する。エンハンストCELL_FACHプロシージャは、概して、プリアンブルアクセスおよびリソース割振り段階と、衝突解決段階と、E-DCHデータ送信段階と、リソース解放段階とを含む。
【０００４】
リソース割振り段階で割り振られるリソースは、Common-EDCH(Common Enhanced-Dedicated Channel、コモンエンハンスト専用チャネル)リソースを指し、これは、セルのシステム情報中でブロードキャストされる。UEは、セルによってブロードキャストされたシステム情報を読むことによって、Common-EDCHリソース情報を得ることができる。既存のプロトコルによれば、全部で32セットのCommon-EDCHリソースがあり、これらには、F-DPCH(Fractional Dedicated Physical Channel、フラクショナル専用物理チャネル)、E-RGCH(E-DCH absolute grant channel、E-DCH絶対グラントチャネル)、E-HICH(E-DCH HARQ Acknowledgement Indicator Channel、E-DCHハイブリッド自動反復要求肯定応答インジケータチャネル)、およびアップリンクDPCH(Dedicated Physical Channel、専用物理チャネル)などの、符号情報が含まれる。Node Bは、リソース割振り段階で、AICH(Acquisition Indicator Channel、アクイジションインジケータチャネル)を介して、リソースインデックスの使用をUEに通知する。UEは、リソースインデックスを受信した後、対応するリソースセットを使用してアップリンクデータを送信する。
【０００５】
エンハンストRACH機能については、アップリンクTTI(Transmission Time Interval、送信時間間隔)長さを各セルにつき1つだけ構成することができ、UEは、1つのTTI長さだけを使用する。このTTI長さは、アップリンクデータ送信では、2ミリ秒のTTIまたは10ミリ秒のTTIであることがある。したがって、前述の32セットのリソースは全て、UEが1つのTTI長さを使用する場合に向けて特に構成される。
【０００６】
しかし、この構成は十分にフレキシブルではない。セルのTTIが、UEによって必要とされるTTIと合致しない場合は、システムリソースの利用効率が低下することになる。
【発明の概要】
【発明が解決しようとする課題】
【０００７】
本発明の実施形態は、システムリソースの利用効率を高めることのできる、チャネルリソースを割り振る方法、基地局デバイス、端末デバイス、および通信システムを提供する。
【課題を解決するための手段】
【０００８】
一態様では、チャネルリソースを割り振る方法が提供される。この方法は、セルブロードキャストメッセージを端末デバイスに送信する段階であって、セルブロードキャストメッセージが、コモンエンハンスト専用チャネルリソースに対応する、第1のパラメータ構成の記述情報および第2のパラメータ構成の記述情報を含み、第1のパラメータ構成が第1の送信時間間隔(TTI)に特有であり、第2のパラメータ構成が、第1のTTIとは異なる第2のTTIに特有である段階と、端末デバイスから送信された指示情報を受信する段階であって、指示情報が、端末デバイスが使用TTIとして第1のTTIまたは第2のTTIを選択することを示すものである段階と、指示情報に従ってコモンエンハンスト専用チャネルリソースを端末デバイスに割り振る段階とを含む。
【０００９】
別の態様では、チャネルリソースを割り振る方法が提供される。この方法は、セルブロードキャストメッセージをネットワーク側から受信する段階であって、セルブロードキャストメッセージが、コモンエンハンスト専用チャネルリソースに対応する、第1のパラメータ構成の記述情報および第2のパラメータ構成の記述情報を含み、第1のパラメータ構成が第1の送信時間間隔(TTI)に特有であり、第2のパラメータ構成が、第1のTTIとは異なる第2のTTIに特有である段階と、使用TTIとして第1のTTIまたは第2のTTIを選択し、選択したTTIの指示情報を生成する段階と、ネットワーク側が指示情報に従ってコモンエンハンスト専用チャネルリソースを割り振るよう、指示情報をネットワーク側に送信する段階とを含む。
【００１０】
別の態様では、基地局デバイスが提供される。この基地局デバイスは、セルブロードキャストメッセージを端末デバイスに送信するように構成されたブロードキャスティングユニットであって、セルブロードキャストメッセージが、コモンエンハンスト専用チャネルリソースに対応する、第1のパラメータ構成の記述情報および第2のパラメータ構成の記述情報を含み、第1のパラメータ構成が第1の送信時間間隔(TTI)に特有であり、第2のパラメータ構成が、第1のTTIとは異なる第2のTTIに特有であるブロードキャスティングユニットと、端末デバイスから送信された指示情報を受信するように構成された受信ユニットであって、指示情報が、端末デバイスが使用TTIとして第1のTTIまたは第2のTTIを選択することを示すものである受信ユニットと、指示情報に従ってコモンエンハンスト専用チャネルリソースを端末デバイスに割り振るように構成された割振りユニットとを備える。
【００１１】
別の態様では、端末デバイスが提供される。この端末デバイスは、セルブロードキャストメッセージをネットワーク側から受信するように構成された受信ユニットであって、セルブロードキャストメッセージが、コモンエンハンスト専用チャネルリソースに対応する、第1のパラメータ構成の記述情報および第2のパラメータ構成の記述情報を含み、第1のパラメータ構成が第1の送信時間間隔(TTI)に特有であり、第2のパラメータ構成が、第1のTTIとは異なる第2のTTIに特有である受信ユニットと、使用TTIとして第1のTTIまたは第2のTTIを選択し、選択したTTIの指示情報を生成するように構成された選択ユニットと、ネットワーク側が指示情報に従ってコモンエンハンスト専用チャネルリソースを割り振るよう、指示情報をネットワーク側に送信するように構成された送信ユニットとを備える。
【００１２】
別の態様では、チャネルリソースを割り振る方法が提供される。この方法は、セルブロードキャストメッセージを端末デバイスに送信する段階であって、セルブロードキャストメッセージが、コモンエンハンスト専用チャネルリソースに対応する、第1のパラメータ構成の記述情報および第2のパラメータ構成の記述情報を含み、第1のパラメータ構成が第1の送信時間間隔(TTI)に特有であり、第2のパラメータ構成が、第1のTTIとは異なる第2のTTIに特有である段階と、使用TTIとして第1のTTIまたは第2のTTIを選択する段階と、選択されたTTIを端末デバイスに通知する段階と、選択されたTTIに従ってコモンエンハンスト専用チャネルリソースを端末デバイスに割り振る段階とを含む。
【００１３】
別の態様では、チャネルリソースを割り振る方法が提供される。この方法は、セルブロードキャストメッセージをネットワーク側から受信する段階であって、セルブロードキャストメッセージが、コモンエンハンスト専用チャネルリソースに対応する、第1のパラメータ構成の記述情報および第2のパラメータ構成の記述情報を含み、第1のパラメータ構成が第1の送信時間間隔(TTI)に特有であり、第2のパラメータ構成が、第1のTTIとは異なる第2のTTIに特有である段階と、指示情報をネットワーク側から受信する段階であって、指示情報が、ネットワーク側デバイスが使用TTIとして第1のTTIまたは第2のTTIを選択することを示すものである段階と、選択されたTTIに従ってネットワーク側によって割り振られたコモンエンハンスト専用チャネルリソースを受信する段階とを含む。
【００１４】
別の態様では、基地局デバイスが提供される。この基地局デバイスは、セルブロードキャストメッセージを端末デバイスに送信するように構成されたブロードキャスティングユニットであって、セルブロードキャストメッセージが、コモンエンハンスト専用チャネルリソースに対応する、第1のパラメータ構成の記述情報および第2のパラメータ構成の記述情報を含み、第1のパラメータ構成が第1の送信時間間隔(TTI)に特有であり、第2のパラメータ構成が、第1のTTIとは異なる第2のTTIに特有であるブロードキャスティングユニットと、使用TTIとして第1のTTIまたは第2のTTIを選択するように構成された選択ユニットと、選択されたTTIを端末デバイスに通知するように構成された通知ユニットと、選択されたTTIに従ってコモンエンハンスト専用チャネルリソースを端末デバイスに割り振るように構成された割振りユニットとを備える。
【００１５】
別の態様では、端末デバイスが提供される。この端末デバイスは、セルブロードキャストメッセージをネットワーク側から受信するように構成された受信ユニットを備え、セルブロードキャストメッセージは、コモンエンハンスト専用チャネルリソースに対応する、第1のパラメータ構成の記述情報および第2のパラメータ構成の記述情報を含み、第1のパラメータ構成は第1の送信時間間隔(TTI)に特有であり、第2のパラメータ構成は、第1のTTIとは異なる第2のTTIに特有であり、受信ユニットはさらに、指示情報をネットワーク側から受信するように構成され、指示情報は、ネットワーク側デバイスが使用TTIとして第1のTTIまたは第2のTTIを選択することを示し、受信ユニットはさらに、選択されたTTIに従ってネットワーク側によって割り振られたコモンエンハンスト専用チャネルリソースを受信するように構成される。
【００１６】
別の態様では、通信システムが提供される。この通信システムは、上記の基地局デバイスまたは上記の端末デバイスを備える。
【発明の効果】
【００１７】
本発明の実施形態では、セルに対して複数のTTIが構成され、複数のTTIのパラメータ構成情報が端末デバイスにブロードキャストされる。したがって、端末デバイスは、複数のTTIから適切なTTIを選択することができ、ネットワーク側は、選択されたTTIに従ってチャネルリソースを割り振ることができ、それにより、システムリソースの割振りおよび利用の効率を高める。
【００１８】
本発明の実施形態における技術的解決法をより明確に例示するために、実施形態または従来技術を記述するのに必要とされる添付図面を以下に簡単に紹介する。明らかに、以下の記述における添付図面は本発明のいくつかの実施形態のみを示し、当業者なら、これらの添付図面から創意工夫なしに他の図面を導出することもなお可能である。
【図面の簡単な説明】
【００１９】
【図１】本発明の一実施形態による、チャネルリソースを割り振る方法の概略フローチャートである。
【図２】本発明の一実施形態による、チャネルリソースを割り振る方法の概略フローチャートである。
【図３Ａ】本発明の一実施形態による、チャネルリソース割振りのプロセスの概略フローチャートである。
【図３Ｂ】本発明の一実施形態による、チャネルリソース割振りのプロセスの概略フローチャートである。
【図４】本発明の一実施形態による、チャネルリソース割振りのプロセスの概略フローチャートである。
【図５】本発明の一実施形態による基地局デバイスの概略ブロック図である。
【図６】本発明の一実施形態による基地局デバイスの概略ブロック図である。
【図７】本発明の一実施形態による端末デバイスの概略ブロック図である。
【図８】本発明の一実施形態による、チャネルリソースを割り振る方法の概略フローチャートである。
【図９】本発明の一実施形態による、チャネルリソースを割り振る方法を示す図である。
【図１０】本発明の一実施形態による基地局デバイスの概略ブロック図である。
【図１１】本発明の一実施形態による端末デバイスの概略ブロック図である。
【図１２】本発明の一実施形態による通信システムの概略ブロック図である。
【図１３】本発明の別の実施形態による通信システムの概略ブロック図である。
【発明を実施するための形態】
【００２０】
以下、本発明の実施形態における添付図面を参照しながら、本発明の実施形態における技術的解決法について明確かつ完全に述べる。明らかに、述べる実施形態は、本発明の実施形態の全部ではなく一部でしかない。本発明の実施形態に基づいて当業者によって創意工夫なしに得られる他の全ての実施形態も、本発明の保護範囲に入るものとする。
【００２１】
本発明の技術的解決法は、GSM、符号分割多元接続(CDMA、Code Division Multiple Access)、広帯域符号分割多元接続(WCDMA（登録商標）、Wideband Code Division Multiple Access Wireless)、汎用パケット無線サービス(GPRS、General Packet Radio Service)、ロングタームエボリューション(LTE、Long Term Evolution)など、様々な通信システムに適用することができる。
【００２２】
モバイル端末(Mobile Terminal)は、モバイルユーザ(UE、User Equipment)またはモバイルユーザ機器などとも呼ばれるが、無線アクセスネットワーク(RAN、Radio Access Network)を介して1つまたは複数のコアネットワークと通信することができる。モバイル端末は、携帯電話機(あるいはセルラー電話機とも呼ばれる)などのモバイル端末とすることができ、または、ポータブル、ポケットサイズ、ハンドヘルド、コンピュータ組込み型、もしくは車載型のモバイル装置など、モバイル端末搭載コンピュータとすることができる。モバイル端末は、音声および/またはデータを無線アクセスネットワークと交換する。
【００２３】
基地局は、GSM（登録商標）もしくはCDMA中の基地局(BTS、Base Transceiver Station)、またはWCDMA中の基地局(NodeB)、またはLTE中の進化型基地局(eNBもしくはe-NodeB、evolutional Node B)とすることができ、本発明によって限定されない。記述を容易にするために、以下の実施形態では、Node Bを記述のための例にとる。
【００２４】
UEまたはネットワーク側は、UEの要件に従って動的にTTIの長さを調整することはできない。UEは、ネットワーク側によって構成されたTTIのみを使用することができる。例えば、セルが2ミリ秒のTTI長さのみをサポートするが、UEはセルのエッジに位置する。この場合、10ミリ秒のTTI長さに切り替えれば、よりよいカバレッジおよび伝送信頼性を達成することができる。あるいは、セルが10ミリ秒のTTI長さのみをサポートするが、UEはセルの中心に位置する。この場合、より多くの電力が利用可能であり、2ミリ秒のTTI長さに切り替えれば、アップリンク送信レートが効果的に上がることになる。このケースでは、セルのTTIが、UEによって必要とされるTTIと合致せず、これによりシステムリソースの利用効率が低下する。
【００２５】
本発明の実施形態は、各セル中で2つのTTI長さを構成できることを考慮に入れる。すなわち、1つのセル中で、エンハンストRACHをサポートするUEは、2つのTTI長さのうちの一方を動的に選択して、アップリンクデータを送信することができる。
【００２６】
以下では、端末デバイスを表すのにUEを使用し、基地局デバイスを表すのにNode Bを使用するが、本発明の実施形態は、これらの用語によって表される特定のシステムに限定されない。本発明の実施形態は、1つのセル中で複数のTTI長さを使用できる任意のシステムに適用可能である。
【００２７】
図1は、本発明の一実施形態による、チャネルリソースを割り振る方法の概略フローチャートである。図1に示す方法10は、主にネットワーク側で、例えば基地局(Node Bなど)によって実行される。
【００２８】
方法10のステップ101で、セルブロードキャストメッセージが端末デバイス(UEなど)に送信される。セルブロードキャストメッセージは、コモンエンハンスト専用チャネルCommon-EDCHリソースに対応する、第1のパラメータ構成の記述情報および第2のパラメータ構成の記述情報を含み、第1のパラメータ構成は、第1の送信時間間隔(TTI)に特有であり、第2のパラメータ構成は、第1のTTIとは異なる第2のTTIに特有である。
【００２９】
102.端末デバイスから送信された指示情報を受信する。指示情報は、端末デバイスが使用TTIとして第1のTTIまたは第2のTTIを選択することを示す。
【００３０】
103.指示情報に従って、コモンエンハンスト専用チャネルリソースを端末デバイスに割り振る。
【００３１】
本発明の実施形態では、セルに対して複数のTTIが構成され、複数のTTIのパラメータ構成情報が端末デバイスにブロードキャストされる。したがって、端末デバイスは、複数のTTIから適切なTTIを選択することができ、ネットワーク側は、選択されたTTIに従ってチャネルリソースを割り振ることができ、それにより、システムリソースの割振りおよび利用の効率を高める。
【００３２】
対応する動作が端末側で実行される。図2は、本発明の一実施形態による、チャネルリソースを割り振る方法の概略フローチャートである。図2に示す方法20は、端末デバイス(UEなど)によって実行され、以下を含む。
【００３３】
201.セルブロードキャストメッセージをネットワーク側から受信する。セルブロードキャストメッセージは、コモンエンハンスト専用チャネルリソースに対応する、第1のパラメータ構成の記述情報および第2のパラメータ構成の記述情報を含み、第1のパラメータ構成は、第1の送信時間間隔(TTI)に特有であり、第2のパラメータ構成は、第1のTTIとは異なる第2のTTIに特有である。
【００３４】
202.使用TTIとして第1のTTIまたは第2のTTIを選択し、選択したTTIの指示情報を生成する。
【００３５】
203.ネットワーク側が指示情報に従ってコモンエンハンスト専用チャネルリソースを割り振るよう、指示情報をネットワーク側に送信する。
【００３６】
本発明の実施形態では、セルに対して複数のTTIが構成され、複数のTTIのパラメータ構成情報が端末デバイスにブロードキャストされる。したがって、端末デバイスは、複数のTTIから適切なTTIを選択することができ、ネットワーク側は、選択されたTTIに従ってチャネルリソースを割り振ることができ、それにより、システムリソースの割振りおよび利用の効率を高める。
【００３７】
本発明の一実施形態における、通信システム中でのチャネルリソース割振りのプロセスについて、以下に詳細に述べる。図3Aは、本発明の一実施形態による、チャネルリソース割振りのプロセスの概略フローチャートである。
【００３８】
図3Aに示すステップS301で、Node BがセルブロードキャストメッセージをUEに送信する。セルブロードキャストメッセージは、Common-EDCHリソースに対応する、第1のパラメータ構成の記述情報および第2のパラメータ構成の記述情報を含み、第1のパラメータ構成は、第1のTTI(2ミリ秒または10ミリ秒など)に特有であり、第2のパラメータ構成は、第1のTTIとは異なる第2のTTI(10ミリ秒または2ミリ秒など)に特有である。言い換えれば、本発明の実施形態におけるブロードキャストメッセージは、既存のTTIに加えて、別のTTI長さに特有の追加パラメータ構成も含むことができる。
【００３９】
ステップ302で、UEは、ブロードキャストメッセージを受信した後、セルによってサポートされ得る2つのTTIの情報を得る。したがって、UEは、それ自体の要件に従って、使用TTIとして第1のTTIまたは第2のTTIを選択する。
【００４０】
ステップ303で、UEは、選択したTTIの指示情報を生成し、ステップ304で、指示情報をNode Bに送信する。指示情報は、専用の指示メッセージを介して送信されるか、または他のメッセージによって搬送されてよい。例えば、UEは、ランダムアクセス段階で、異なるシグネチャ(signature)を選択することによって、選択したTTI長さをNode Bに通知するか、または、UEは、ランダムアクセス段階で、異なるプリアンブルスクランブル符号(preamble scramble code)を選択することによって、選択したTTI長さをNode Bに通知する。
【００４１】
ステップ305で、Node Bは、UEによって選択されたTTIの指示情報を受信した後、Common-EDCHリソースを割り振るようトリガされる。2ミリ秒のTTIおよび10ミリ秒のTTIが32セットのcommon E-DCHリソースを共有するシナリオでは、Node Bは、既存のプロトコル中で定義されるのと同様のリソース割振り方式に従って、common E-DCHリソースを割り振ることができる。
【００４２】
ステップ306で、Node Bは、割り振ったCommon-EDCHリソースをUEに通知する。
【００４３】
ステップ307で、UEは、Node Bの通知を受信した後、選択したTTIに従って、対応するパラメータ構成(第1のパラメータ構成または第2のパラメータ構成)を選択する。
【００４４】
ステップ308で、UEは、選択したパラメータ構成を使用してアップリンクデータを送信する。
【００４５】
本発明の実施形態では、セルに対して複数のTTIが構成され、複数のTTIのパラメータ構成情報が端末デバイスにブロードキャストされる。したがって、端末デバイスは、複数のTTIから適切なTTIを選択することができ、ネットワーク側は、選択されたTTIに従ってチャネルリソースを割り振ることができ、それにより、システムリソースの割振りおよび利用の効率を高める。
【００４６】
図3Aに示す例では、2ミリ秒のTTIおよび10ミリ秒のTTIが32セットのcommon E-DCHリソースを共有するシナリオで、Node Bは、common E-DCHリソースを割り振るとき、UEによって選択されたTTI長さを考慮しないものとすることができる。本発明の一実施形態では、common E-DCHリソースを割り振るとき、UEによって選択されたTTIを考慮することができる。
【００４７】
図3Bは、本発明によるチャネルリソース割振りのプロセスの概略フローチャートである。図3Bでは、図3Aのプロセスと同じかまたは同様のプロセスは、同じかまたは同様のマークで識別し、それらの詳細は適宜省略する。
【００４８】
ステップ301'は、図3Aのステップ301と同様であり、Node BがセルブロードキャストメッセージをUEに送信する。違いは、ステップ301'で送信されるセルブロードキャストメッセージは、2つのTTI(2ミリ秒のTTI長さおよび10ミリ秒のTTI長さなど)のパラメータ構成の記述情報だけでなく、2ミリ秒のTTIおよび10ミリ秒のTTIによってそれぞれ使用されるcommon E-DCHリソースのインデックスも含むことである。すなわち、既存の32セットのcommon E-DCHリソースが、2ミリ秒のTTIおよび10ミリ秒のTTIの2つのリスト(リソースサブセット)にグループ化される。
【００４９】
ステップ302〜304は、図3Aのステップ302〜304と同じである。ステップ302で、UEは、ブロードキャストメッセージを受信した後、セルによってサポートされ得る2つのTTIの情報を得る。UEは、それ自体の必要性に従って、使用TTIとして第1のTTIまたは第2のTTIを選択する。
【００５０】
ステップ303で、UEは、選択したTTIの指示情報を生成し、ステップ304で、指示情報をNode Bに送信する。指示情報は、専用の指示メッセージを介して送信されるか、または他のメッセージによって搬送されてよい。例えば、UEは、ランダムアクセス段階で、異なるシグネチャ(signature)を選択することによって、選択したTTI長さをNode Bに通知するか、または、UEは、ランダムアクセス段階で、異なるプリアンブルスクランブル符号(preamble scramble code)を選択することによって、選択したTTI長さをNode Bに通知する。
【００５１】
ステップ305'で、Node Bは、UEによって選択されたTTIの指示情報を受信した後、Common-EDCHリソースを割り振るようトリガされる。このケースでは、Node Bは、リソースを割り振るとき、UEによって選択されたTTIを考慮する。
【００５２】
例えば、32セットのcommon E-DCHリソースのインデックスが0〜31であり、ブロードキャストメッセージ中では、0〜15が2ミリ秒のTTIに割り振られ、16〜31が10ミリ秒のTTIに割り振られる。この場合、2ミリ秒のTTI長さが選択されることをUEの指示メッセージが示すならば、Node Bは、0〜15のインデックスを有するリソースサブセットから、UEに割り振られることになるcommon E-DCHリソースを選択する。10ミリ秒のTTI長さが選択されることをUEの指示メッセージが示すならば、Node Bは、16〜31のインデックスを有するリソースサブセットから、UEに割り振られることになるcommon E-DCHリソースを選択する。
【００５３】
ステップ306〜308は、図3Aのステップ306〜308と同じである。ステップ306で、Node Bは、割り振ったCommon-EDCHリソースをUEに通知する。
【００５４】
ステップ307で、UEは、Node Bの通知を受信した後、選択したTTIに従って、対応するパラメータ構成(第1のパラメータ構成または第2のパラメータ構成)を選択する。
【００５５】
ステップ308で、UEは、選択したパラメータ構成を使用してアップリンクデータを送信する。
【００５６】
本発明の実施形態では、セルに対して複数のTTIが構成され、複数のTTIのパラメータ構成情報が端末デバイスにブロードキャストされる。したがって、端末デバイスは、複数のTTIから適切なTTIを選択することができ、ネットワーク側は、選択されたTTIに従ってチャネルリソースを割り振ることができ、それにより、システムリソースの割振りおよび利用の効率を高める。
【００５７】
選択したTTIをUEがNode Bに通知したとき、選択は拒否される場合がある(ステップ305または305')。例えば、割振りに利用可能なリソースの数(対応するリソースサブセットのサイズ)は2つのTTI長さについて同じであることがあるが、2ミリ秒のTTI長さを使用するUEの数が、10ミリ秒のTTI長さを使用するUEの数よりも多いので、2ミリ秒のTTI長さに対応するリソースサブセット中のリソースが全て占有されていることがあり、その結果、2ミリ秒のTTIを選択するUEが拒否される。この場合、本発明の実施形態では、UEに対する拒否の回数を記録することができ、リソースサブセットのサイズを動的に調整することができる。
【００５８】
図4は、本発明の一実施形態による、リソースサブセットの動的調整のプロセスの概略フローチャートである。
【００５９】
図4に示すように、ステップ401で、Node Bは、UEに対する拒否の回数を記録する。例えば、Node Bは、2ミリ秒のTTIを選択したUEに対する拒否の回数と、10ミリ秒のTTIを選択したUEに対する拒否の回数とを記録する。
【００６０】
ステップ402で、Node Bは、記録した回数をRNC(無線ネットワークコントローラ、Radio Network Controller)に報告する。例えば、Node Bは、Iubインタフェースを介して回数をRNCに報告する。本発明の一実施形態によれば、Node Bは、E-DCH RACH Reportの下で、Denied E-DCH RACH Resourcesメッセージを介して、回数をRNCに報告することができる。
【００６１】
ステップ403で、RNCは、Node Bによって報告された拒否回数に従って、2ミリ秒のTTIと10ミリ秒のTTIのリソースサブセット(リスト)中のリソースの数を調整する。例えば、以前は、0〜15が2ミリ秒のTTIに割り振られ、16〜31が10ミリ秒のTTIに割り振られているものとする。Node Bが2ミリ秒のTTIと10ミリ秒のTTIのDenied E-DCH RACH Resourcesの数を報告した後、2ミリ秒のTTIの拒否回数の方が多い場合は、RNCは、2ミリ秒のTTIに対応するcommon E-DCHリソースを増加させることができる。例えば、0〜20のインデックスの付いたリソースを2ミリ秒のTTIに割り振り、21〜31のインデックスの付いたリソースを10ミリ秒のTTIに割り振ることができる。これにより、リソースサブセット中のcommon E-DCHリソースが動的に調整される。
【００６２】
ステップ404で、RNCは、調整結果をNode Bに通知する。RNCは、専用メッセージまたは他の適切なメッセージを介して、調整結果をNode Bに通知することができる。
【００６３】
ステップ405で、Node Bは、ブロードキャストメッセージを介して、新しいリソースサブセット(リスト)情報をUEに通知する。これにより、UEは、ブロードキャストメッセージを読むことによって、調整済みリソースサブセット情報を得る。
【００６４】
よって、本発明の実施形態では、2つのTTI長さに対応するリソースの割振り方式を、ネットワークの稼働ステータスに従って動的に調整することができる。これによりリソースの利用効率がさらに高まる。
【００６５】
図5は、本発明の一実施形態による基地局デバイスの概略ブロック図である。図5に示すように、本発明の実施形態による基地局デバイス50は、ブロードキャスティングユニット51、受信ユニット52、および割振りユニット53を備える。
【００６６】
ブロードキャスティングユニット51は、セルブロードキャストメッセージを端末デバイスに送信するように構成され、セルブロードキャストメッセージは、コモンエンハンスト専用チャネルリソースに対応する、第1のパラメータ構成の記述情報および第2のパラメータ構成の記述情報を含み、第1のパラメータ構成は、第1の送信時間間隔(TTI)に特有であり、第2のパラメータ構成は、第1のTTIとは異なる第2のTTIに特有である。
【００６７】
受信ユニット52は、端末デバイスから送信された指示情報を受信するように構成され、指示情報は、端末デバイスが使用TTIとして第1のTTIまたは第2のTTIを選択することを示す。
【００６８】
割振りユニット53は、指示情報に従ってコモンエンハンスト専用チャネルリソースを端末デバイスに割り振るように構成される。
【００６９】
本発明の実施形態では、セルに対して複数のTTIが構成され、複数のTTIのパラメータ構成情報が端末デバイスにブロードキャストされる。したがって、端末デバイスは、複数のTTIから適切なTTIを選択することができ、ネットワーク側は、選択されたTTIに従ってチャネルリソースを割り振ることができ、それにより、システムリソースの割振りおよび利用の効率を高める。
【００７０】
図6は、本発明の一実施形態による基地局デバイスの概略ブロック図である。図6では、図5の部分と同じかまたは同様の部分は、同じかまたは同様のマークで識別し、それらの詳細は適宜省略する。
【００７１】
図6の基地局デバイス60は、ブロードキャスティングユニット51'、受信ユニット52、および割振りユニット53'を備える。ブロードキャスティングユニット51'から送信されるセルブロードキャストメッセージは、コモンエンハンスト専用チャネルリソースに対応する、第1のパラメータ構成の記述情報および第2のパラメータ構成の記述情報を含み、コモンエンハンスト専用チャネルリソースは、第1のTTIに特有の第1のリソースサブセットと、第2のTTIに特有の第2のリソースサブセットとにグループ化される。
【００７２】
加えて、割振りユニット53'は、受信ユニット52によって受信された指示情報が、選択されたTTIが第1のTTIであることを示すときには、第1のリソースサブセット中のコモンエンハンスト専用チャネルリソースを端末デバイスに割り振り、受信ユニット52によって受信された指示情報が、選択されたTTIが第2のTTIであることを示すときには、第2のリソースサブセット中のコモンエンハンスト専用チャネルリソースを端末デバイスに割り振る。
【００７３】
図6に示すように、基地局デバイス60はさらに、通知ユニット61、および/または記録ユニット62を備える。
【００７４】
通知ユニット61は、割り振られたコモンエンハンスト専用チャネルリソースを端末デバイスに通知し、それにより端末デバイスは、選択したTTIに従って第1のパラメータ構成または第2のパラメータ構成を選択する。
【００７５】
記録ユニット62は、端末デバイスに対する拒否回数を記録して、記録した回数を無線ネットワークコントローラに送信するように構成され、それにより無線ネットワークコントローラは、回数に従って、第1のリソースサブセットおよび第2のリソースサブセット中のコモンエンハンスト専用チャネルリソースを調整する。
【００７６】
図5および図6の基地局デバイスは、コモンエンハンスト専用チャネルリソースを割り振るための前述の方法におけるNode Bに関係する全てのステップを実行することができ、ここでは、繰返しを避けるため、詳細を再度述べることはしない。
【００７７】
図7は、本発明の一実施形態による端末デバイスの概略ブロック図である。図7の端末デバイス70は、受信ユニット71、選択ユニット72、および送信ユニット73を備える。
【００７８】
受信ユニット71は、セルブロードキャストメッセージをネットワーク側から受信するように構成され、セルブロードキャストメッセージは、コモンエンハンスト専用チャネルリソースに対応する、第1のパラメータ構成の記述情報および第2のパラメータ構成の記述情報を含み、第1のパラメータ構成は、第1の送信時間間隔(TTI)に特有であり、第2のパラメータ構成は、第1のTTIとは異なる第2のTTIに特有である。
【００７９】
選択ユニット72は、使用TTIとして第1のTTIまたは第2のTTIを選択し、選択したTTIの指示情報を生成するように構成される。
【００８０】
送信ユニット73は、ネットワーク側が指示情報に従ってコモンエンハンスト専用チャネルリソースを割り振るよう、指示情報をネットワーク側に送信するように構成される。
【００８１】
本発明の実施形態では、セルに対して複数のTTIが構成され、複数のTTIのパラメータ構成情報が端末デバイスにブロードキャストされる。したがって、端末デバイスは、複数のTTIから適切なTTIを選択することができ、ネットワーク側は、選択されたTTIに従ってチャネルリソースを割り振ることができ、それにより、システムリソースの割振りおよび利用の効率を高める。
【００８２】
図7の端末デバイス70は、コモンエンハンスト専用チャネルリソースを割り振るための前述の方法におけるUEに関係する全てのステップを実行することができ、ここでは、繰返しを避けるため、詳細を再度述べることはしない。
【００８３】
例えば、受信ユニット71はさらに、割り振られたコモンエンハンスト専用チャネルリソースの通知を受信するように構成される。選択ユニット72はさらに、選択したTTIに従って第1のパラメータ構成または第2のパラメータ構成を選択するように構成される。
【００８４】
本発明の別の実施形態によれば、受信ユニット71はセルブロードキャストメッセージを受信するが、セルブロードキャストメッセージ中では、コモンエンハンスト専用チャネルリソースが、第1のTTIに特有の第1のリソースサブセットと、第2のTTIに特有の第2のリソースサブセットとにグループ化される。
【００８５】
以上では、UEがTTIを選択する実施形態について述べているが、本発明はこれに限定されない。TTIの選択は、ネットワーク側によって決定されてもよい。
【００８６】
図8は、本発明の一実施形態による、チャネルリソースを割り振る方法の概略フローチャートである。図8に示す方法80は、主にネットワーク側で、例えば基地局(Node Bなど)によって実行される。
【００８７】
図8に示すように、方法80のステップ801は、方法10のステップ101と同様である。セルブロードキャストメッセージが、端末デバイスに送信される。セルブロードキャストメッセージは、コモンエンハンスト専用チャネルリソースに対応する、第1のパラメータ構成の記述情報および第2のパラメータ構成の記述情報を含み、第1のパラメータ構成は、第1の送信時間間隔(TTI)に特有であり、第2のパラメータ構成は、第1のTTIとは異なる第2のTTIに特有である。
【００８８】
ステップ802で、Node Bは、使用TTIとして第1のTTIまたは第2のTTIを選択する。セル中の情報に従って、Node Bは、UEによって使用されることになるTTIを選択することができる。例えば、Node Bは、UEのアップリンクアクセスのプリアンブル(preamble)電力に従って、選択するTTI長さを決定することができる。
【００８９】
ステップ803で、Node Bは、選択したTTIを端末デバイスに通知し、ステップ804で、Node Bは、選択したTTIに従ってコモンエンハンスト専用チャネルリソースを端末に割り振る。
【００９０】
本発明の実施形態では、セルに対して複数のTTIが構成され、ネットワーク側は、複数のTTIのパラメータ構成情報を端末デバイスにブロードキャストし、次いで、複数のTTIから適切なTTIを選択して、選択したTTIに従ってチャネルリソースを割り振り、それにより、システムリソースの割振りおよび利用の効率を高める。
【００９１】
対応する動作が端末側で実行される。図9は、本発明の一実施形態による、チャネルリソースを割り振る方法を示す。図9に示す方法90は、端末デバイス(UEなど)によって実行される。
【００９２】
901.セルブロードキャストメッセージをネットワーク側から受信する。セルブロードキャストメッセージは、コモンエンハンスト専用チャネルリソースに対応する、第1のパラメータ構成の記述情報および第2のパラメータ構成の記述情報を含み、第1のパラメータ構成は、第1の送信時間間隔(TTI)に特有であり、第2のパラメータ構成は、第1のTTIとは異なる第2のTTIに特有である。
【００９３】
902.指示情報をネットワーク側から受信する。指示情報は、ネットワーク側デバイスが使用TTIとして第1のTTIまたは第2のTTIを選択することを示す。
【００９４】
903.選択されたTTIに従ってネットワーク側によって割り振られたコモンエンハンスト専用チャネルリソースを受信する。
【００９５】
よって、本発明の実施形態では、セルに対して複数のTTIが構成され、ネットワーク側は、複数のTTIのパラメータ構成情報を端末デバイスにブロードキャストし、次いで、複数のTTIから適切なTTIを選択して、選択したTTIに従ってチャネルリソースを割り振り、それにより、システムリソースの割振りおよび利用の効率を高める。
【００９６】
図10は、本発明の一実施形態による基地局デバイスの概略ブロック図である。図10に示す基地局デバイス100は、
セルブロードキャストメッセージを端末デバイスに送信するように構成されたブロードキャスティングユニット1010であって、セルブロードキャストメッセージが、コモンエンハンスト専用チャネルリソースに対応する、第1のパラメータ構成の記述情報および第2のパラメータ構成の記述情報を含み、第1のパラメータ構成が第1の送信時間間隔(TTI)に特有であり、第2のパラメータ構成が、第1のTTIとは異なる第2のTTIに特有であるブロードキャスティングユニット1010と、
使用TTIとして第1のTTIまたは第2のTTIを選択するように構成された選択ユニット1020と、
選択されたTTIを端末デバイスに通知するように構成された通知ユニット1030と、
選択されたTTIに従ってコモンエンハンスト専用チャネルリソースを端末デバイスに割り振るように構成された割振りユニット1040とを備える。
【００９７】
よって、本発明の実施形態では、セルに対して複数のTTIが構成され、ネットワーク側は、複数のTTIのパラメータ構成情報を端末デバイスにブロードキャストし、次いで、複数のTTIから適切なTTIを選択して、選択したTTIに従ってチャネルリソースを割り振り、それにより、システムリソースの割振りおよび利用の効率を高める。
【００９８】
図11は、本発明の一実施形態による端末デバイスの概略ブロック図である。図11に示す端末デバイス110は、受信ユニット115を備える。受信ユニット115は、セルブロードキャストメッセージをネットワーク側から受信するように構成され、セルブロードキャストメッセージは、コモンエンハンスト専用チャネルリソースに対応する、第1のパラメータ構成の記述情報および第2のパラメータ構成の記述情報を含み、第1のパラメータ構成は、第1の送信時間間隔(TTI)に特有であり、第2のパラメータ構成は、第1のTTIとは異なる第2のTTIに特有である。
【００９９】
受信ユニット115はさらに、指示情報をネットワーク側から受信するように構成され、指示情報は、ネットワーク側デバイスが使用TTIとして第1のTTIまたは第2のTTIを選択することを示す。
【０１００】
受信ユニット115はさらに、選択されたTTIに従ってネットワーク側によって割り振られたコモンエンハンスト専用チャネルリソースを受信するように構成される。
【０１０１】
よって、本発明の実施形態では、セルに対して複数のTTIが構成され、ネットワーク側は、複数のTTIのパラメータ構成情報を端末デバイスにブロードキャストし、次いで、複数のTTIから適切なTTIを選択して、選択したTTIに従ってチャネルリソースを割り振り、それにより、システムリソースの割振りおよび利用の効率を高める。
【０１０２】
図12は、本発明の一実施形態による通信システムの概略ブロック図である。図12に示す通信システム120は、基地局デバイス121および端末デバイス122を備える。
【０１０３】
基地局デバイス121は、前述の基地局デバイス50、60、または100とすることができる。端末デバイス122は、前述の端末デバイス70または110とすることができる。したがって、これらについての詳細な記述は省略する。
【０１０４】
図13は、本発明の別の実施形態による通信システムの概略ブロック図である。図13に示す通信システム130中では、図12中の部分と同じかまたは同様の部分は、同じかまたは同様のマークで識別する。
【０１０５】
図13に示すように、基地局デバイス121および端末デバイス122に加えて、通信システム130はさらに、無線ネットワークコントローラ(RNC)131も備える。異なるTTIに対して異なるリソースサブセット(第1のリソースサブセットおよび第2のリソースサブセットなど)が採用されるシナリオでは、無線ネットワークコントローラ131は、基地局デバイス121によって記録された、端末デバイス122に対する拒否回数を受信し、この回数に従って、第1のリソースサブセットおよび第2のリソースサブセット中のコモンエンハンスト専用チャネルリソースを調整するように構成される。
【０１０６】
本明細書に開示する実施形態で述べた例と組み合わせて、ユニットおよびアルゴリズムステップを、電子ハードウェア、コンピュータソフトウェア、またはこれらの組合せによって実現できることを、当業者なら認識するであろう。ハードウェアとソフトウェアとの間の交換可能性を明確に記述するために、上記では、各実施形態の構成およびステップを、機能に従って一般に述べた。機能がハードウェアによって実施されるかソフトウェアによって実施されるかは、技術的解決法の特定の適用例および設計制約条件に依存する。当業者なら、特定の適用例ごとに異なる方法を使用して、述べた機能を実施することができるが、こうした実施が本発明の範囲を超えると考えるべきではない。
【０１０７】
簡便な記述のために、前述のシステム、装置、およびユニットの詳細な動作プロセスについては、前述の方法実施形態における対応するプロセスを参照することができ、ここでは詳細を再度述べないことは、当業者には明確に理解されるであろう。
【０１０８】
本出願において提供されるいくつかの実施形態では、開示するシステム、装置、および方法を他の方式で実現してもよいことを理解されたい。例えば、述べた装置実施形態は例に過ぎない。例えば、ユニット分割は単に論理的な機能分割であり、実際の実装形態では他の分割であってもよい。例えば、複数のユニットもしくはコンポーネントを別のシステムに結合もしくは統合してもよく、または、いくつかの特徴を省略するかもしくは実行しなくてもよい。加えて、表示または考察した、相互結合、または直接的な結合もしくは通信接続は、いくつかのインタフェースを介して実現されてもよい。装置またはユニット間の間接的な結合または通信接続は、電気的、機械的、または他の形で実現されてよい。
【０１０９】
別々の部分として述べたユニットは、物理的に分離していてもそうでなくてもよく、ユニットとして表示した部分は、物理的なユニットであってもそうでなくてもよい。すなわち、これらのユニットは、1か所に位置してもよく、または複数のネットワーク要素上に分散してもよい。一部または全部のユニットを実際の必要性に従って選択して、実施形態の解決法の目的を達成することができる。
【０１１０】
加えて、本発明の実施形態における機能ユニットは、1つの処理ユニットに統合されてもよく、または各ユニットが物理的に単独で存在してもよく、または2つ以上のユニットが1つのユニットに統合されてもよい。統合されたユニットは、ハードウェアの形で実現されてもよく、またはソフトウェア機能ユニットの形で実現されてもよい。
【０１１１】
統合されたユニットがソフトウェア機能ユニットの形で実現されて、独立した製品として販売または使用されるとき、統合されたユニットはコンピュータ可読記憶媒体に記憶されてよい。このような理解に基づき、本発明の技術的解決法は本質的に、または従来技術に寄与する部分は、または技術的解決法の全部もしくは一部は、ソフトウェア製品の形で実現することができる。コンピュータソフトウェア製品は記憶媒体に記憶され、コンピュータソフトウェア製品はまた、本発明の実施形態で述べた方法のステップの全部または一部を実施するようコンピュータデバイス(パーソナルコンピュータ、サーバ、またはネットワークデバイスなどとすることができる)に命令するためのいくつかの命令を含む。前述の記憶媒体は、USBフラッシュディスク、取外し可能ハードディスク、読取専用メモリ(ROM、Read-Only Memory)、ランダムアクセスメモリ(RAM、Random Access Memory)、磁気ディスク、または光ディスクなど、プログラムコードを記憶できる任意の媒体を含む。
【０１１２】
以上の記述は、本発明の特定の実施形態に過ぎず、本発明の保護範囲を限定するものとはしない。本発明において開示される技術範囲内で当業者によってすぐに見出されるどんな変形または置換も、本発明の保護範囲内に入るものとする。したがって、本発明の保護範囲は、特許請求の範囲の保護範囲に従うものとする。
【符号の説明】
【０１１３】
50  基地局デバイス
51  ブロードキャスティングユニット
52  受信ユニット
53  割振りユニット
60  基地局デバイス
51'  ブロードキャスティングユニット
53'  割振りユニット
61  通知ユニット
62  記録ユニット
70  端末デバイス
71  受信ユニット
72  選択ユニット
73  送信ユニット
100  基地局デバイス
1010  ブロードキャスティングユニット
1020  選択ユニット
1030  通知ユニット
1040  割振りユニット
110  端末デバイス
115  受信ユニット
120  通信システム
121  基地局デバイス
122  端末デバイス
130  通信システム
131  無線ネットワークコントローラ
【図１】
2014511080.tif 000003
【図２】
2014511080.tif 000004
【図３Ａ】
2014511080.tif 000005
【図３Ｂ】
2014511080.tif 000006
【図４】
2014511080.tif 000007
【図５】
2014511080.tif 000008
【図６】
2014511080.tif 000009
【図７】
2014511080.tif 000010
【図８】
2014511080.tif 000011
【図９】
2014511080.tif 000012
【図１０】
2014511080.tif 000013
【図１１】
2014511080.tif 000014
【図１２】
2014511080.tif 000015
【図１３】
2014511080.tif 000016
【手続補正書】
【提出日】平成25年11月8日(2013.11.8)
【手続補正１】
【補正対象書類名】明細書
【補正対象項目名】全文
【補正方法】変更
【補正の内容】
【発明の詳細な説明】
【技術分野】
【０００１】
本出願は、参照によりその全体が本明細書に組み込まれる、2011年4月2日に中国特許庁に出願された「METHOD FOR ALLOCATING CHANNEL RESOURCE, BASE STATION DEVICE, TERMINAL DEVICE, AND COMMUNICATION SYSTEM」という名称の中国特許出願第201110083708.4号に対する優先権を主張するものである。
【０００２】
本発明の実施形態は、ワイヤレス通信の分野に関し、特に、チャネルリソースを割り振る方法、基地局デバイス、端末デバイス、および通信システムに関する。
【背景技術】
【０００３】
3GPP(The 3rd Generation Partnership Project、第3世代パートナーシッププロジェクト)UMTS(Universal Mobile Telecommunications System、ユニバーサルモバイルテレコミュニケーションズシステム)R8バージョンでは、遊休(idle)モードまたはCELL_FACH(CELL Forward Access Channel、セルフォワードアクセスチャネル)状態のUE(User Equipment、ユーザ機器)に関して、アップリンク送信遅延を低減しアップリンク送信レートを上げるために、エンハンストRACH(Random Access Channel、ランダムアクセスチャネル)と呼ばれる新しい機能が採用される。エンハンストRACHは、R99バージョンにおけるランダムアクセスを向上させる。エンハンストランダムアクセスは、RACHの代わりとするためのE-DCH(Enhanced Dedicated Channel、エンハンスト専用チャネル)を採用して、アップリンク送信を実施する。エンハンストCELL_FACHプロシージャは、概して、プリアンブルアクセスおよびリソース割振り段階と、衝突解決段階と、E-DCHデータ送信段階と、リソース解放段階とを含む。
【０００４】
リソース割振り段階で割り振られるリソースは、Common E-DCH(Common Enhanced Dedicated Channel、コモンエンハンスト専用チャネル)リソースを指し、これは、セルのシステム情報中でブロードキャストされる。UEは、セルによってブロードキャストされたシステム情報を読むことによって、Common-EDCHリソース情報を得ることができる。既存のプロトコルによれば、全部で32セットのCommon-EDCHリソースがあり、これらには、F-DPCH(Fractional Dedicated Physical Channel、フラクショナル専用物理チャネル)、E-RGCH(E-DCH relative grant channel、E-DCH相対グラントチャネル)、E-HICH(E-DCH HARQ Acknowledgement Indicator Channel、E-DCHハイブリッド自動反復要求肯定応答インジケータチャネル)、およびアップリンクDPCH(Dedicated Physical Channel、専用物理チャネル)などの、符号情報が含まれる。NodeBは、リソース割振り段階で、AICH(Acquisition Indicator Channel、アクイジションインジケータチャネル)を介して、リソースインデックスの使用をUEに通知する。UEは、リソースインデックスを受信した後、対応するリソースセットを使用してアップリンクデータを送信する。
【０００５】
エンハンストRACH機能については、アップリンクTTI(Transmission Time Interval、送信時間間隔)を各セルにつき1つだけ構成することができ、UEは、1つのTTI長さだけを使用する。このTTI長さは、アップリンクデータ送信では、2ミリ秒または10ミリ秒であることがある。したがって、前述の32セットのリソースは全て、UEが1つのTTI長さを使用する場合に向けて特に構成される。
【０００６】
しかし、この構成は十分にフレキシブルではない。セルのTTIが、UEによって必要とされるTTIと合致しない場合は、システムリソースの利用効率が低下することになる。
【発明の概要】
【発明が解決しようとする課題】
【０００７】
本発明の実施形態は、システムリソースの利用効率を高めることのできる、チャネルリソースを割り振る方法、基地局デバイス、端末デバイス、および通信システムを提供する。
【課題を解決するための手段】
【０００８】
一態様では、チャネルリソースを割り振る方法が提供される。この方法は、セルブロードキャストメッセージを端末デバイスに送信する段階であって、セルブロードキャストメッセージが、コモンエンハンスト専用チャネルリソースに対応する、第1のパラメータ構成の記述情報および第2のパラメータ構成の記述情報を含み、第1のパラメータ構成が第1の送信時間間隔(TTI)に特有であり、第2のパラメータ構成が、第1のTTIとは異なる第2のTTIに特有である段階と、端末デバイスから送信された指示情報を受信する段階であって、指示情報が、端末デバイスが使用TTIとして第1のTTIまたは第2のTTIを選択することを示すものである段階と、指示情報に従ってコモンエンハンスト専用チャネルリソースを端末デバイスに割り振る段階とを含む。
【０００９】
別の態様では、チャネルリソースを割り振る方法が提供される。この方法は、セルブロードキャストメッセージをネットワークから受信する段階であって、セルブロードキャストメッセージが、コモンエンハンスト専用チャネルリソースに対応する、第1のパラメータ構成の記述情報および第2のパラメータ構成の記述情報を含み、第1のパラメータ構成が第1の送信時間間隔(TTI)に特有であり、第2のパラメータ構成が、第1のTTIとは異なる第2のTTIに特有である段階と、使用TTIとして第1のTTIまたは第2のTTIを選択し、選択したTTIの指示情報を生成する段階と、ネットワークが指示情報に従ってコモンエンハンスト専用チャネルリソースを割り振るよう、指示情報をネットワークに送信する段階とを含む。
【００１０】
別の態様では、基地局デバイスが提供される。この基地局デバイスは、セルブロードキャストメッセージを端末デバイスに送信するように構成されたブロードキャスティングユニットであって、セルブロードキャストメッセージが、コモンエンハンスト専用チャネルリソースに対応する、第1のパラメータ構成の記述情報および第2のパラメータ構成の記述情報を含み、第1のパラメータ構成が第1の送信時間間隔(TTI)に特有であり、第2のパラメータ構成が、第1のTTIとは異なる第2のTTIに特有であるブロードキャスティングユニットと、端末デバイスから送信された指示情報を受信するように構成された受信ユニットであって、指示情報が、端末デバイスが使用TTIとして第1のTTIまたは第2のTTIを選択することを示すものである受信ユニットと、指示情報に従ってコモンエンハンスト専用チャネルリソースを端末デバイスに割り振るように構成された割振りユニットとを備える。
【００１１】
別の態様では、端末デバイスが提供される。この端末デバイスは、セルブロードキャストメッセージをネットワークから受信するように構成された受信ユニットであって、セルブロードキャストメッセージが、コモンエンハンスト専用チャネルリソースに対応する、第1のパラメータ構成の記述情報および第2のパラメータ構成の記述情報を含み、第1のパラメータ構成が第1の送信時間間隔(TTI)に特有であり、第2のパラメータ構成が、第1のTTIとは異なる第2のTTIに特有である受信ユニットと、使用TTIとして第1のTTIまたは第2のTTIを選択し、選択したTTIの指示情報を生成するように構成された選択ユニットと、ネットワークが指示情報に従ってコモンエンハンスト専用チャネルリソースを割り振るよう、指示情報をネットワークに送信するように構成された送信ユニットとを備える。
【００１２】
別の態様では、チャネルリソースを割り振る方法が提供される。この方法は、セルブロードキャストメッセージを端末デバイスに送信する段階であって、セルブロードキャストメッセージが、コモンエンハンスト専用チャネルリソースに対応する、第1のパラメータ構成の記述情報および第2のパラメータ構成の記述情報を含み、第1のパラメータ構成が第1の送信時間間隔(TTI)に特有であり、第2のパラメータ構成が、第1のTTIとは異なる第2のTTIに特有である段階と、使用TTIとして第1のTTIまたは第2のTTIを選択する段階と、選択されたTTIを端末デバイスに通知する段階と、選択されたTTIに従ってコモンエンハンスト専用チャネルリソースを端末デバイスに割り振る段階とを含む。
【００１３】
別の態様では、チャネルリソースを割り振る方法が提供される。この方法は、セルブロードキャストメッセージをネットワークから受信する段階であって、セルブロードキャストメッセージが、コモンエンハンスト専用チャネルリソースに対応する、第1のパラメータ構成の記述情報および第2のパラメータ構成の記述情報を含み、第1のパラメータ構成が第1の送信時間間隔(TTI)に特有であり、第2のパラメータ構成が、第1のTTIとは異なる第2のTTIに特有である段階と、指示情報をネットワークから受信する段階であって、指示情報が、ネットワークが使用TTIとして第1のTTIまたは第2のTTIを選択することを示すものである段階と、選択されたTTIに従ってネットワークによって割り振られたコモンエンハンスト専用チャネルリソースを受信する段階とを含む。
【００１４】
別の態様では、基地局デバイスが提供される。この基地局デバイスは、セルブロードキャストメッセージを端末デバイスに送信するように構成されたブロードキャスティングユニットであって、セルブロードキャストメッセージが、コモンエンハンスト専用チャネルリソースに対応する、第1のパラメータ構成の記述情報および第2のパラメータ構成の記述情報を含み、第1のパラメータ構成が第1の送信時間間隔(TTI)に特有であり、第2のパラメータ構成が、第1のTTIとは異なる第2のTTIに特有であるブロードキャスティングユニットと、使用TTIとして第1のTTIまたは第2のTTIを選択するように構成された選択ユニットと、選択されたTTIを端末デバイスに通知するように構成された通知ユニットと、選択されたTTIに従ってコモンエンハンスト専用チャネルリソースを端末デバイスに割り振るように構成された割振りユニットとを備える。
【００１５】
別の態様では、端末デバイスが提供される。この端末デバイスは、セルブロードキャストメッセージをネットワークから受信するように構成された受信ユニットを備え、セルブロードキャストメッセージは、コモンエンハンスト専用チャネルリソースに対応する、第1のパラメータ構成の記述情報および第2のパラメータ構成の記述情報を含み、第1のパラメータ構成は第1の送信時間間隔(TTI)に特有であり、第2のパラメータ構成は、第1のTTIとは異なる第2のTTIに特有であり、受信ユニットはさらに、指示情報をネットワークから受信するように構成され、指示情報は、ネットワークが使用TTIとして第1のTTIまたは第2のTTIを選択することを示し、受信ユニットはさらに、選択されたTTIに従ってネットワークによって割り振られたコモンエンハンスト専用チャネルリソースを受信するように構成される。
【００１６】
別の態様では、通信システムが提供される。この通信システムは、上記の基地局デバイスおよび上記の端末デバイスを備える。
【発明の効果】
【００１７】
本発明の実施形態では、セルに対して複数のTTIが構成され、複数のTTIのパラメータ構成情報が端末デバイスにブロードキャストされる。したがって、端末デバイスは、複数のTTIから適切なTTIを選択することができ、ネットワークは、選択されたTTIに従ってチャネルリソースを割り振ることができ、それにより、システムリソースの割振りおよび利用の効率を高める。
【００１８】
本発明の実施形態における技術的解決法をより明確に例示するために、実施形態を記述するのに必要とされる添付図面を以下に簡単に紹介する。明らかに、以下の記述における添付図面は本発明のいくつかの実施形態のみを示し、当業者なら、これらの添付図面から創意工夫なしに他の図面を導出することもなお可能である。
【図面の簡単な説明】
【００１９】
【図１】本発明の一実施形態による、チャネルリソースを割り振る方法の概略フローチャートである。
【図２】本発明の一実施形態による、チャネルリソースを割り振る方法の概略フローチャートである。
【図３Ａ】本発明の一実施形態による、チャネルリソース割振りのプロセスの概略フローチャートである。
【図３Ｂ】本発明の一実施形態による、チャネルリソース割振りのプロセスの概略フローチャートである。
【図４】本発明の一実施形態による、リソースサブセットの動的調整のプロセスの概略フローチャートである。
【図５】本発明の一実施形態による基地局デバイスの概略ブロック図である。
【図６】本発明の一実施形態による基地局デバイスの概略ブロック図である。
【図７】本発明の一実施形態による端末デバイスの概略ブロック図である。
【図８】本発明の一実施形態による、チャネルリソースを割り振る方法の概略フローチャートである。
【図９】本発明の一実施形態による、チャネルリソースを割り振る方法を示す図である。
【図１０】本発明の一実施形態による基地局デバイスの概略ブロック図である。
【図１１】本発明の一実施形態による端末デバイスの概略ブロック図である。
【図１２】本発明の一実施形態による通信システムの概略ブロック図である。
【図１３】本発明の別の実施形態による通信システムの概略ブロック図である。
【発明を実施するための形態】
【００２０】
以下、本発明の実施形態における添付図面を参照しながら、本発明の実施形態における技術的解決法について明確に述べる。明らかに、述べる実施形態は、本発明の実施形態の全部ではなく一部でしかない。本発明の実施形態に基づいて当業者によって創意工夫なしに得られる他の全ての実施形態も、本発明の保護範囲に入るものとする。
【００２１】
本発明の技術的解決法は、GSM(Global System for Mobile Communications)、符号分割多元接続(CDMA、Code Division Multiple Access)、広帯域符号分割多元接続(WCDMA、Wideband Code Division Multiple Access)、汎用パケット無線サービス(GPRS、General Packet Radio Service)、ロングタームエボリューション(LTE、Long Term Evolution)など、様々な通信システムに適用することができる。
【００２２】
モバイル端末(Mobile Terminal)は、ユーザ機器(UE、User Equipment)またはモバイルユーザ機器などとも呼ばれるが、無線アクセスネットワーク(RAN、Radio Access Network)を介して1つまたは複数のコアネットワークと通信することができる。モバイル端末は、携帯電話機(あるいはセルラー電話機とも呼ばれる)とすることができ、または、ポータブル、ポケットサイズ、ハンドヘルド、コンピュータ組込み型、もしくは車載型のモバイル装置など、モバイル端末搭載コンピュータとすることができる。モバイル端末は、音声および/またはデータを無線アクセスネットワークと交換する。
【００２３】
基地局は、GSMもしくはCDMA中のトランシーバ基地局(BTS、Base Transceiver Station)、またはWCDMA中の基地局(NodeB)、またはLTE中の進化型NodeB(eNBもしくはe-NodeB、evolved NodeB)とすることができ、本発明によって限定されない。記述を容易にするために、以下の実施形態では、NodeBを記述のための例にとる。
【００２４】
UEまたはネットワークは、UEの要件に従って動的にTTIの長さを調整することはできない。UEは、ネットワークによって構成されたTTIのみを使用することができる。例えば、セルが2ミリ秒のTTIのみをサポートするが、UEはセルのエッジに位置する。この場合、10ミリ秒のTTI長さに切り替えれば、よりよいカバレッジおよび伝送信頼性を達成することができる。あるいは、セルが10ミリ秒のTTI長さのみをサポートするが、UEはセルの中心に位置する。この場合、より多くの電力が利用可能であり、2ミリ秒のTTIに切り替えれば、アップリンク送信レートが効果的に上がることになる。このケースでは、セルのTTIが、UEによって必要とされるTTIと合致せず、これによりシステムリソースの利用効率が低下する。
【００２５】
本発明の実施形態は、各セル中で2つのTTI長さを構成できることを考慮に入れる。すなわち、1つのセル中で、エンハンストRACHをサポートするUEは、2つのTTI長さのうちの一方を動的に選択して、アップリンクデータを送信することができる。
【００２６】
以下では、端末デバイスを表すのにUEを使用し、基地局デバイスを表すのにNodeBを使用するが、本発明の実施形態は、これらの用語によって表される特定のシステムに限定されない。本発明の実施形態は、1つのセル中で複数のTTI長さを使用できる任意のシステムに適用可能である。
【００２７】
図1は、本発明の一実施形態による、チャネルリソースを割り振る方法の概略フローチャートである。図1に示す方法10は、主にネットワーク側で、例えば基地局(NodeBなど)によって実行される。
【００２８】
方法10は以下を含む。101.セルブロードキャストメッセージを端末デバイス(UEなど)に送信する。セルブロードキャストメッセージは、コモンエンハンスト専用チャネルCommon-EDCHリソースに対応する、第1のパラメータ構成の記述情報および第2のパラメータ構成の記述情報を含み、第1のパラメータ構成は、第1の送信時間間隔(TTI)に特有であり、第2のパラメータ構成は、第1のTTIとは異なる第2のTTIに特有である。
【００２９】
102.端末デバイスから送信された指示情報を受信する。指示情報は、端末デバイスが使用TTIとして第1のTTIまたは第2のTTIを選択することを示す。
【００３０】
103.指示情報に従って、コモンエンハンスト専用チャネルリソースを端末デバイスに割り振る。
【００３１】
本発明の実施形態では、セルに対して複数のTTIが構成され、複数のTTIのパラメータ構成情報が端末デバイスにブロードキャストされる。したがって、端末デバイスは、複数のTTIから適切なTTIを選択することができ、ネットワークは、選択されたTTIに従ってチャネルリソースを割り振ることができ、それにより、システムリソースの割振りおよび利用の効率を高める。
【００３２】
対応する動作が端末で実行される。図2は、本発明の一実施形態による、チャネルリソースを割り振る方法の概略フローチャートである。図2に示す方法20は、端末デバイス(UEなど)によって実行され、以下を含む。
【００３３】
201.セルブロードキャストメッセージをネットワークから受信する。セルブロードキャストメッセージは、コモンエンハンスト専用チャネルリソースに対応する、第1のパラメータ構成の記述情報および第2のパラメータ構成の記述情報を含み、第1のパラメータ構成は、第1の送信時間間隔(TTI)に特有であり、第2のパラメータ構成は、第1のTTIとは異なる第2のTTIに特有である。
【００３４】
202.使用TTIとして第1のTTIまたは第2のTTIを選択し、選択したTTIの指示情報を生成する。
【００３５】
203.ネットワークが指示情報に従ってコモンエンハンスト専用チャネルリソースを割り振るよう、指示情報をネットワークに送信する。
【００３６】
本発明の実施形態では、セルに対して複数のTTIが構成され、複数のTTIのパラメータ構成情報が端末デバイスにブロードキャストされる。したがって、端末デバイスは、複数のTTIから適切なTTIを選択することができ、ネットワークは、選択されたTTIに従ってチャネルリソースを割り振ることができ、それにより、システムリソースの割振りおよび利用の効率を高める。
【００３７】
本発明の一実施形態における、通信システム中でのチャネルリソース割振りのプロセスについて、以下に詳細に述べる。図3Aは、本発明の一実施形態による、チャネルリソース割振りのプロセスの概略フローチャートである。
【００３８】
図3Aに示すステップS301で、NodeBがセルブロードキャストメッセージをUEに送信する。セルブロードキャストメッセージは、Common-EDCHリソースに対応する、第1のパラメータ構成の記述情報および第2のパラメータ構成の記述情報を含み、第1のパラメータ構成は、第1のTTI(2ミリ秒または10ミリ秒など)に特有であり、第2のパラメータ構成は、第1のTTIとは異なる第2のTTI(10ミリ秒または2ミリ秒など)に特有である。言い換えれば、本発明の実施形態におけるブロードキャストメッセージは、既存のTTIに加えて、別のTTI長さに特有の追加パラメータ構成も含むことができる。
【００３９】
ステップ302で、UEは、ブロードキャストメッセージを受信した後、セルによってサポートされ得る2つのTTIの情報を得る。したがって、UEは、それ自体の要件に従って、使用TTIとして第1のTTIまたは第2のTTIを選択する。
【００４０】
ステップ303で、UEは、選択したTTIの指示情報を生成し、ステップ304で、指示情報をNodeBに送信する。指示情報は、専用の指示メッセージを介して送信されるか、または他のメッセージによって搬送されてよい。例えば、UEは、ランダムアクセス段階で、異なるシグネチャ(signature)を選択することによって、選択したTTI長さをNodeBに通知するか、または、UEは、ランダムアクセス段階で、異なるプリアンブルスクランブリング符号(preamble scrambling code)を選択することによって、選択したTTI長さをNodeBに通知する。
【００４１】
ステップ305で、NodeBは、UEによって選択されたTTIの指示情報を受信した後、Common-EDCHリソースを割り振るようトリガされる。2ミリ秒のTTIおよび10ミリ秒のTTIが32セットのcommon E-DCHリソースを共有するシナリオでは、NodeBは、既存のプロトコル中で定義されるのと同様のリソース割振り方式に従って、common E-DCHリソースを割り振ることができる。
【００４２】
ステップ306で、NodeBは、割り振ったCommon-EDCHリソースをUEに通知する。
【００４３】
ステップ307で、UEは、NodeBの通知を受信した後、選択したTTIに従って、対応するパラメータ構成(第1のパラメータ構成または第2のパラメータ構成)を選択する。
【００４４】
ステップ308で、UEは、選択したパラメータ構成を使用してアップリンクデータを送信する。
【００４５】
本発明の実施形態では、セルに対して複数のTTIが構成され、複数のTTIのパラメータ構成情報が端末デバイスにブロードキャストされる。したがって、端末デバイスは、複数のTTIから適切なTTIを選択することができ、ネットワークは、選択されたTTIに従ってチャネルリソースを割り振ることができ、それにより、システムリソースの割振りおよび利用の効率を高める。
【００４６】
図3Aに示す例では、2ミリ秒のTTIおよび10ミリ秒のTTIが32セットのcommon E-DCHリソースを共有するシナリオで、NodeBは、common E-DCHリソースを割り振るとき、UEによって選択されたTTI長さを考慮しないものとすることができる。本発明の一実施形態では、common E-DCHリソースを割り振るとき、UEによって選択されたTTIを考慮することができる。
【００４７】
図3Bは、本発明によるチャネルリソース割振りのプロセスの概略フローチャートである。図3Bでは、図3Aのプロセスと同じかまたは同様のプロセスは、同じかまたは同様のマークで識別し、それらの詳細は適宜省略する。
【００４８】
ステップ301'は、図3Aのステップ301と同様であり、NodeBがセルブロードキャストメッセージをUEに送信する。違いは、ステップ301'で送信されるセルブロードキャストメッセージは、2つのTTI(2ミリ秒のTTIおよび10ミリ秒のTTI長さなど)のパラメータ構成の記述情報だけでなく、2ミリ秒のTTIおよび10ミリ秒のTTIによってそれぞれ使用されるcommon E-DCHリソースのインデックスも含むことである。すなわち、既存の32セットのcommon E-DCHリソースが、2ミリ秒のTTIおよび10ミリ秒のTTIの2つのリスト(リソースサブセット)にグループ化される。
【００４９】
ステップ302〜304は、図3Aのステップ302〜304と同じである。ステップ302で、UEは、ブロードキャストメッセージを受信した後、セルによってサポートされ得る2つのTTIの情報を得る。UEは、それ自体の必要性に従って、使用TTIとして第1のTTIまたは第2のTTIを選択する。
【００５０】
ステップ303で、UEは、選択したTTIの指示情報を生成し、ステップ304で、指示情報をNodeBに送信する。指示情報は、専用の指示メッセージを介して送信されるか、または他のメッセージによって搬送されてよい。例えば、UEは、ランダムアクセス段階で、異なるシグネチャ(signature)を選択することによって、選択したTTI長さをNodeBに通知するか、または、UEは、ランダムアクセス段階で、異なるプリアンブルスクランブリング符号(preamble scramble code)を選択することによって、選択したTTI長さをNodeBに通知する。
【００５１】
ステップ305'で、NodeBは、UEによって選択されたTTIの指示情報を受信した後、Common-EDCHリソースを割り振るようトリガされる。このケースでは、NodeBは、リソースを割り振るとき、UEによって選択されたTTIを考慮する。
【００５２】
例えば、32セットのcommon E-DCHリソースのインデックスが0〜31であり、ブロードキャストメッセージ中では、0〜15が2ミリ秒のTTIに割り振られ、16〜31が10ミリ秒のTTIに割り振られる。この場合、2ミリ秒のTTIが選択されることをUEの指示メッセージが示すならば、NodeBは、0〜15のインデックスを有するリソースサブセットから、UEに割り振られることになるcommon E-DCHリソースを選択する。10ミリ秒のTTI長さが選択されることをUEの指示メッセージが示すならば、NodeBは、16〜31のインデックスを有するリソースサブセットから、UEに割り振られることになるcommon E-DCHリソースを選択する。
【００５３】
ステップ306〜308は、図3Aのステップ306〜308と同じである。ステップ306で、NodeBは、割り振ったCommon-EDCHリソースをUEに通知する。
【００５４】
ステップ307で、UEは、NodeBの通知を受信した後、選択したTTIに従って、対応するパラメータ構成(第1のパラメータ構成または第2のパラメータ構成)を選択する。
【００５５】
ステップ308で、UEは、選択したパラメータ構成を使用してアップリンクデータを送信する。
【００５６】
本発明の実施形態では、セルに対して複数のTTIが構成され、複数のTTIのパラメータ構成情報が端末デバイスにブロードキャストされる。したがって、端末デバイスは、複数のTTIから適切なTTIを選択することができ、ネットワークは、選択されたTTIに従ってチャネルリソースを割り振ることができ、それにより、システムリソースの割振りおよび利用の効率を高める。
【００５７】
選択したTTIをUEがNodeBに通知したとき、選択は拒否される場合がある(ステップ305または305')。例えば、割振りに利用可能なリソースの数(対応するリソースサブセットのサイズ)は2つのTTI長さについて同じであることがあるが、2ミリ秒のTTIを使用するUEの数が、10ミリ秒のTTI長さを使用するUEの数よりも多いので、2ミリ秒のTTIに対応するリソースサブセット中のリソースが全て占有されていることがあり、その結果、2ミリ秒のTTIを選択するUEが拒否される。この場合、本発明の実施形態では、UEに対する拒否の回数を記録することができ、リソースサブセットのサイズを動的に調整することができる。
【００５８】
図4は、本発明の一実施形態による、リソースサブセットの動的調整のプロセスの概略フローチャートである。
【００５９】
図4に示すように、ステップ401で、NodeBは、UEに対する拒否の回数を記録する。例えば、NodeBは、2ミリ秒のTTIを選択したUEに対する拒否の回数と、10ミリ秒のTTIを選択したUEに対する拒否の回数とを記録する。
【００６０】
ステップ402で、NodeBは、記録した回数をRNC(無線ネットワークコントローラ、Radio Network Controller)に報告する。例えば、NodeBは、Iubインタフェースを介して回数をRNCに報告する。本発明の一実施形態によれば、NodeBは、E-DCH RACH Reportの下で、Denied E-DCH RACH Resourcesメッセージを介して、回数をRNCに報告することができる。
【００６１】
ステップ403で、RNCは、NodeBによって報告された拒否回数に従って、2ミリ秒のTTIと10ミリ秒のTTIのリソースサブセット(リスト)中のリソースの数を調整する。例えば、以前は、0〜15が2ミリ秒のTTIに割り振られ、16〜31が10ミリ秒のTTIに割り振られているものとする。NodeBが2ミリ秒のTTIと10ミリ秒のTTIのDenied E-DCH RACH Resourcesの数を報告した後、2ミリ秒のTTIの拒否回数の方が多い場合は、RNCは、2ミリ秒のTTIに対応するcommon E-DCHリソースを増加させることができる。例えば、0〜20のインデックスの付いたリソースを2ミリ秒のTTIに割り振り、21〜31のインデックスの付いたリソースを10ミリ秒のTTIに割り振ることができる。これにより、リソースサブセット中のcommon E-DCHリソースが動的に調整される。
【００６２】
ステップ404で、RNCは、調整結果をNodeBに通知する。RNCは、専用メッセージまたは他の適切なメッセージを介して、調整結果をNodeBに通知することができる。
【００６３】
ステップ405で、NodeBは、ブロードキャストメッセージを介して、新しいリソースサブセット(リスト)情報をUEに通知する。これにより、UEは、ブロードキャストメッセージを読むことによって、調整済みリソースサブセット情報を得る。
【００６４】
よって、本発明の実施形態では、2つのTTI長さに対応するリソースの割振り方式を、ネットワークの稼働ステータスに従って動的に調整することができる。これによりリソースの利用効率がさらに高まる。
【００６５】
図5は、本発明の一実施形態による基地局デバイスの概略ブロック図である。図5に示すように、本発明の実施形態による基地局デバイス50は、ブロードキャスティングユニット51、受信ユニット52、および割振りユニット53を備える。
【００６６】
ブロードキャスティングユニット51は、セルブロードキャストメッセージを端末デバイスに送信するように構成され、セルブロードキャストメッセージは、コモンエンハンスト専用チャネルリソースに対応する、第1のパラメータ構成の記述情報および第2のパラメータ構成の記述情報を含み、第1のパラメータ構成は、第1の送信時間間隔(TTI)に特有であり、第2のパラメータ構成は、第1のTTIとは異なる第2のTTIに特有である。
【００６７】
受信ユニット52は、端末デバイスから送信された指示情報を受信するように構成され、指示情報は、端末デバイスが使用TTIとして第1のTTIまたは第2のTTIを選択することを示す。
【００６８】
割振りユニット53は、指示情報に従ってコモンエンハンスト専用チャネルリソースを端末デバイスに割り振るように構成される。
【００６９】
本発明の実施形態では、セルに対して複数のTTIが構成され、複数のTTIのパラメータ構成情報が端末デバイスにブロードキャストされる。したがって、端末デバイスは、複数のTTIから適切なTTIを選択することができ、ネットワークは、選択されたTTIに従ってチャネルリソースを割り振ることができ、それにより、システムリソースの割振りおよび利用の効率を高める。
【００７０】
図6は、本発明の一実施形態による基地局デバイスの概略ブロック図である。図6では、図5の部分と同じかまたは同様の部分は、同じかまたは同様のマークで識別し、それらの詳細は適宜省略する。
【００７１】
図6の基地局デバイス60は、ブロードキャスティングユニット51'、受信ユニット52、および割振りユニット53'を備える。ブロードキャスティングユニット51'から送信されるセルブロードキャストメッセージは、コモンエンハンスト専用チャネルリソースに対応する、第1のパラメータ構成の記述情報および第2のパラメータ構成の記述情報を含み、コモンエンハンスト専用チャネルリソースは、第1のTTIに特有の第1のリソースサブセットと、第2のTTIに特有の第2のリソースサブセットとにグループ化される。
【００７２】
加えて、割振りユニット53'は、受信ユニット52によって受信された指示情報が、選択されたTTIが第1のTTIであることを示すときには、第1のリソースサブセット中のコモンエンハンスト専用チャネルリソースを端末デバイスに割り振り、受信ユニット52によって受信された指示情報が、選択されたTTIが第2のTTIであることを示すときには、第2のリソースサブセット中のコモンエンハンスト専用チャネルリソースを端末デバイスに割り振る。
【００７３】
図6に示すように、基地局デバイス60はさらに、通知ユニット61、および/または記録ユニット62を備える。
【００７４】
通知ユニット61は、割り振られたコモンエンハンスト専用チャネルリソースを端末デバイスに通知し、それにより端末デバイスは、選択したTTIに従って第1のパラメータ構成または第2のパラメータ構成を選択する。
【００７５】
記録ユニット62は、端末デバイスに対する拒否回数を記録して、記録した回数を無線ネットワークコントローラに送信するように構成され、それにより無線ネットワークコントローラは、回数に従って、第1のリソースサブセットおよび第2のリソースサブセット中のコモンエンハンスト専用チャネルリソースを調整する。
【００７６】
図5および図6の基地局デバイスは、コモンエンハンスト専用チャネルリソースを割り振るための前述の方法におけるNodeBに関係する全てのステップを実行することができ、ここでは、繰返しを避けるため、詳細を再度述べることはしない。
【００７７】
図7は、本発明の一実施形態による端末デバイスの概略ブロック図である。図7の端末デバイス70は、受信ユニット71、選択ユニット72、および送信ユニット73を備える。
【００７８】
受信ユニット71は、セルブロードキャストメッセージをネットワークから受信するように構成され、セルブロードキャストメッセージは、コモンエンハンスト専用チャネルリソースに対応する、第1のパラメータ構成の記述情報および第2のパラメータ構成の記述情報を含み、第1のパラメータ構成は、第1の送信時間間隔(TTI)に特有であり、第2のパラメータ構成は、第1のTTIとは異なる第2のTTIに特有である。
【００７９】
選択ユニット72は、使用TTIとして第1のTTIまたは第2のTTIを選択し、選択したTTIの指示情報を生成するように構成される。
【００８０】
送信ユニット73は、ネットワークが指示情報に従ってコモンエンハンスト専用チャネルリソースを割り振るよう、指示情報をネットワークに送信するように構成される。
【００８１】
本発明の実施形態では、セルに対して複数のTTIが構成され、複数のTTIのパラメータ構成情報が端末デバイスにブロードキャストされる。したがって、端末デバイスは、複数のTTIから適切なTTIを選択することができ、ネットワークは、選択されたTTIに従ってチャネルリソースを割り振ることができ、それにより、システムリソースの割振りおよび利用の効率を高める。
【００８２】
図7の端末デバイス70は、コモンエンハンスト専用チャネルリソースを割り振るための前述の方法におけるUEに関係する全てのステップを実行することができ、ここでは、繰返しを避けるため、詳細を再度述べることはしない。
【００８３】
例えば、受信ユニット71はさらに、割り振られたコモンエンハンスト専用チャネルリソースの通知を受信するように構成される。選択ユニット72はさらに、選択したTTIに従って第1のパラメータ構成または第2のパラメータ構成を選択するように構成される。
【００８４】
本発明の別の実施形態によれば、受信ユニット71はセルブロードキャストメッセージを受信するが、セルブロードキャストメッセージ中では、コモンエンハンスト専用チャネルリソースが、第1のTTIに特有の第1のリソースサブセットと、第2のTTIに特有の第2のリソースサブセットとにグループ化される。
【００８５】
以上では、UEがTTIを選択する実施形態について述べているが、本発明はこれに限定されない。TTIの選択は、ネットワークによって決定されてもよい。
【００８６】
図8は、本発明の一実施形態による、チャネルリソースを割り振る方法の概略フローチャートである。図8に示す方法80は、主にネットワークで、例えば基地局(NodeBなど)によって実行される。
【００８７】
図8に示すように、方法80のステップ801は、方法10のステップ101と同様である。セルブロードキャストメッセージが、端末デバイスに送信される。セルブロードキャストメッセージは、コモンエンハンスト専用チャネルリソースに対応する、第1のパラメータ構成の記述情報および第2のパラメータ構成の記述情報を含み、第1のパラメータ構成は、第1の送信時間間隔(TTI)に特有であり、第2のパラメータ構成は、第1のTTIとは異なる第2のTTIに特有である。
【００８８】
ステップ802で、NodeBは、使用TTIとして第1のTTIまたは第2のTTIを選択する。セル中の情報に従って、NodeBは、UEによって使用されることになるTTIを選択することができる。例えば、NodeBは、UEのアップリンクアクセスのプリアンブル(preamble)電力に従って、選択するTTI長さを決定することができる。
【００８９】
ステップ803で、NodeBは、選択したTTIを端末デバイスに通知し、ステップ804で、NodeBは、選択したTTIに従ってコモンエンハンスト専用チャネルリソースを端末に割り振る。
【００９０】
本発明の実施形態では、セルに対して複数のTTIが構成され、ネットワークは、複数のTTIのパラメータ構成情報を端末デバイスにブロードキャストし、次いで、複数のTTIから適切なTTIを選択して、選択したTTIに従ってチャネルリソースを割り振り、それにより、システムリソースの割振りおよび利用の効率を高める。
【００９１】
対応する動作が端末で実行される。図9は、本発明の一実施形態による、チャネルリソースを割り振る方法を示す。図9に示す方法90は、端末デバイス(UEなど)によって実行される。
【００９２】
901.セルブロードキャストメッセージをネットワークから受信する。セルブロードキャストメッセージは、コモンエンハンスト専用チャネルリソースに対応する、第1のパラメータ構成の記述情報および第2のパラメータ構成の記述情報を含み、第1のパラメータ構成は、第1の送信時間間隔(TTI)に特有であり、第2のパラメータ構成は、第1のTTIとは異なる第2のTTIに特有である。
【００９３】
902.指示情報をネットワークから受信する。指示情報は、ネットワークが使用TTIとして第1のTTIまたは第2のTTIを選択することを示す。
【００９４】
903.選択されたTTIに従ってネットワークによって割り振られたコモンエンハンスト専用チャネルリソースを受信する。
【００９５】
よって、本発明の実施形態では、セルに対して複数のTTIが構成され、ネットワークは、複数のTTIのパラメータ構成情報を端末デバイスにブロードキャストし、次いで、複数のTTIから適切なTTIを選択して、選択したTTIに従ってチャネルリソースを割り振り、それにより、システムリソースの割振りおよび利用の効率を高める。
【００９６】
図10は、本発明の一実施形態による基地局デバイスの概略ブロック図である。図10に示す基地局デバイス100は、
セルブロードキャストメッセージを端末デバイスに送信するように構成されたブロードキャスティングユニット1010であって、セルブロードキャストメッセージが、コモンエンハンスト専用チャネルリソースに対応する、第1のパラメータ構成の記述情報および第2のパラメータ構成の記述情報を含み、第1のパラメータ構成が第1の送信時間間隔(TTI)に特有であり、第2のパラメータ構成が、第1のTTIとは異なる第2のTTIに特有であるブロードキャスティングユニット1010と、
使用TTIとして第1のTTIまたは第2のTTIを選択するように構成された選択ユニット1020と、
選択されたTTIを端末デバイスに通知するように構成された通知ユニット1030と、
選択されたTTIに従ってコモンエンハンスト専用チャネルリソースを端末デバイスに割り振るように構成された割振りユニット1040とを備える。
【００９７】
よって、本発明の実施形態では、セルに対して複数のTTIが構成され、ネットワークは、複数のTTIのパラメータ構成情報を端末デバイスにブロードキャストし、次いで、複数のTTIから適切なTTIを選択して、選択したTTIに従ってチャネルリソースを割り振り、それにより、システムリソースの割振りおよび利用の効率を高める。
【００９８】
図11は、本発明の一実施形態による端末デバイスの概略ブロック図である。図11に示す端末デバイス110は、受信ユニット115を備える。受信ユニット115は、セルブロードキャストメッセージをネットワークから受信するように構成され、セルブロードキャストメッセージは、コモンエンハンスト専用チャネルリソースに対応する、第1のパラメータ構成の記述情報および第2のパラメータ構成の記述情報を含み、第1のパラメータ構成は、第1の送信時間間隔(TTI)に特有であり、第2のパラメータ構成は、第1のTTIとは異なる第2のTTIに特有である。
【００９９】
受信ユニット115はさらに、指示情報をネットワークから受信するように構成され、指示情報は、ネットワークが使用TTIとして第1のTTIまたは第2のTTIを選択することを示す。
【０１００】
受信ユニット115はさらに、選択されたTTIに従ってネットワークによって割り振られたコモンエンハンスト専用チャネルリソースを受信するように構成される。
【０１０１】
よって、本発明の実施形態では、セルに対して複数のTTIが構成され、ネットワークは、複数のTTIのパラメータ構成情報を端末デバイスにブロードキャストし、次いで、複数のTTIから適切なTTIを選択して、選択したTTIに従ってチャネルリソースを割り振り、それにより、システムリソースの割振りおよび利用の効率を高める。
【０１０２】
図12は、本発明の一実施形態による通信システムの概略ブロック図である。図12に示す通信システム120は、基地局デバイス121および端末デバイス122を備える。
【０１０３】
基地局デバイス121は、前述の基地局デバイス50、60、または100とすることができる。端末デバイス122は、前述の端末デバイス70または110とすることができる。したがって、これらについての詳細な記述は省略する。
【０１０４】
図13は、本発明の別の実施形態による通信システムの概略ブロック図である。図13に示す通信システム130中では、図12中の部分と同じかまたは同様の部分は、同じかまたは同様のマークで識別する。
【０１０５】
図13に示すように、基地局デバイス121および端末デバイス122に加えて、通信システム130はさらに、無線ネットワークコントローラ(RNC)131も備える。異なるTTIに対して異なるリソースサブセット(第1のリソースサブセットおよび第2のリソースサブセットなど)が採用されるシナリオでは、無線ネットワークコントローラ131は、基地局デバイス121によって記録された、端末デバイス122に対する拒否回数を受信し、この回数に従って、第1のリソースサブセットおよび第2のリソースサブセット中のコモンエンハンスト専用チャネルリソースを調整するように構成される。
【０１０６】
本明細書に開示する実施形態で述べた例と組み合わせて、ユニットおよびアルゴリズムステップを、電子ハードウェア、コンピュータソフトウェア、またはこれらの組合せによって実現できることを、当業者なら認識するであろう。ハードウェアとソフトウェアとの間の交換可能性を明確に記述するために、上記では、各実施形態の構成およびステップを、機能に従って一般に述べた。機能がハードウェアによって実施されるかソフトウェアによって実施されるかは、技術的解決法の特定の適用例および設計制約条件に依存する。当業者なら、特定の適用例ごとに異なる方法を使用して、述べた機能を実施することができるが、こうした実施が本発明の範囲を超えると考えるべきではない。
【０１０７】
簡便な記述のために、前述のシステム、装置、およびユニットの詳細な動作プロセスについては、前述の方法実施形態における対応するプロセスを参照することができ、ここでは詳細を再度述べないことは、当業者には明確に理解されるであろう。
【０１０８】
本出願において提供されるいくつかの実施形態では、開示するシステム、装置、および方法を他の方式で実現してもよいことを理解されたい。例えば、述べた装置実施形態は例に過ぎない。例えば、ユニット分割は単に論理的な機能分割であり、実際の実装形態では他の分割であってもよい。例えば、複数のユニットもしくはコンポーネントを別のシステムに結合もしくは統合してもよく、または、いくつかの特徴を省略するかもしくは実行しなくてもよい。加えて、表示または考察した、相互結合、または直接的な結合もしくは通信接続は、いくつかのインタフェースを介して実現されてもよい。装置またはユニット間の間接的な結合または通信接続は、電気的、機械的、または他の形で実現されてよい。
【０１０９】
別々の部分として述べたユニットは、物理的に分離していてもそうでなくてもよく、ユニットとして表示した部分は、物理的なユニットであってもそうでなくてもよい。すなわち、これらのユニットは、1か所に位置してもよく、または複数のネットワーク要素上に分散してもよい。一部または全部のユニットを実際の必要性に従って選択して、実施形態の解決法の目的を達成することができる。
【０１１０】
加えて、本発明の実施形態における機能ユニットは、1つの処理ユニットに統合されてもよく、または各ユニットが物理的に単独で存在してもよく、または2つ以上のユニットが1つのユニットに統合されてもよい。統合されたユニットは、ハードウェアの形で実現されてもよく、またはソフトウェア機能ユニットの形で実現されてもよい。
【０１１１】
統合されたユニットがソフトウェア機能ユニットの形で実現されて、独立した製品として販売または使用されるとき、統合されたユニットはコンピュータ可読記憶媒体に記憶されてよい。このような理解に基づき、本発明の技術的解決法は本質的に、または従来技術に寄与する部分は、または技術的解決法の全部もしくは一部は、ソフトウェア製品の形で実現することができる。コンピュータソフトウェア製品は記憶媒体に記憶され、コンピュータソフトウェア製品はまた、本発明の実施形態で述べた方法のステップの全部または一部を実施するようコンピュータデバイス(パーソナルコンピュータ、サーバ、またはネットワークデバイスなどとすることができる)に命令するためのいくつかの命令を含む。前述の記憶媒体は、USBフラッシュディスク、取外し可能ハードディスク、読取専用メモリ(ROM、Read-Only Memory)、ランダムアクセスメモリ(RAM、Random Access Memory)、磁気ディスク、または光ディスクなど、プログラムコードを記憶できる任意の媒体を含む。
【０１１２】
以上の記述は、本発明の特定の実施形態に過ぎず、本発明の保護範囲を限定するものとはしない。本発明において開示される技術範囲内で当業者によってすぐに見出されるどんな変形または置換も、本発明の保護範囲内に入るものとする。したがって、本発明の保護範囲は、特許請求の範囲の保護範囲に従うものとする。
【符号の説明】
【０１１３】
50  基地局デバイス
51  ブロードキャスティングユニット
52  受信ユニット
53  割振りユニット
60  基地局デバイス
51'  ブロードキャスティングユニット
53'  割振りユニット
61  通知ユニット
62  記録ユニット
70  端末デバイス
71  受信ユニット
72  選択ユニット
73  送信ユニット
100  基地局デバイス
1010  ブロードキャスティングユニット
1020  選択ユニット
1030  通知ユニット
1040  割振りユニット
110  端末デバイス
115  受信ユニット
120  通信システム
121  基地局デバイス
122  端末デバイス
130  通信システム
131  無線ネットワークコントローラ
【手続補正２】
【補正対象書類名】特許請求の範囲
【補正対象項目名】全文
【補正方法】変更
【補正の内容】
【特許請求の範囲】
【請求項１】
チャネルリソースを割り振る方法であって、
セルブロードキャストメッセージを端末デバイスに送信する段階であって、前記セルブロードキャストメッセージが、コモンエンハンスト専用チャネルリソースに対応する、第1のパラメータ構成の記述情報および第2のパラメータ構成の記述情報を含み、前記第1のパラメータ構成が第1の送信時間間隔(TTI)に特有であり、前記第2のパラメータ構成が、前記第1のTTIとは異なる第2の送信時間間隔(TTI)に特有である段階と、
前記端末デバイスから送信された指示情報を受信する段階であって、前記指示情報が、前記端末デバイスが使用TTIとして前記第1のTTIまたは前記第2のTTIを選択することを示すものである段階と、
前記指示情報に従ってコモンエンハンスト専用チャネルリソースを前記端末デバイスに割り振る段階とを含むことを特徴とする方法。
【請求項２】
前記セルブロードキャストメッセージを前記端末デバイスに送信する前記段階が、
前記セルブロードキャストメッセージを前記端末デバイスに送信する段階であって、前記セルブロードキャストメッセージ中で、前記コモンエンハンスト専用チャネルリソースが、前記第1のTTIに特有の第1のリソースサブセットと前記第2のTTIに特有の第2のリソースサブセットとにグループ化された段階を含む、請求項1に記載の方法。
【請求項３】
前記指示情報に従って前記コモンエンハンスト専用チャネルリソースを前記端末デバイスに割り振る前記段階が、
前記選択されたTTIが前記第1のTTIであることを前記指示情報が示すときに、前記第1のリソースサブセット中のコモンエンハンスト専用チャネルリソースを前記端末デバイスに割り振り、前記選択されたTTIが前記第2のTTIであることを前記指示情報が示すときに、前記第2のリソースサブセット中のコモンエンハンスト専用チャネルリソースを前記端末デバイスに割り振る段階を含む、請求項2に記載の方法。
【請求項４】
前記端末デバイスに対する拒否回数を記録する段階と、
前記記録された回数を無線ネットワークコントローラに送信する段階とをさらに含み、それにより前記無線ネットワークコントローラが前記回数に従って前記第1のリソースサブセットおよび前記第2のリソースサブセット中のコモンエンハンスト専用チャネルリソースを調整する、請求項2に記載の方法。
【請求項５】
チャネルリソースを割り振る方法であって、
セルブロードキャストメッセージをネットワークから受信する段階であって、前記セルブロードキャストメッセージが、コモンエンハンスト専用チャネルリソースに対応する、第1のパラメータ構成の記述情報および第2のパラメータ構成の記述情報を含み、前記第1のパラメータ構成が第1の送信時間間隔(TTI)に特有であり、第2のパラメータ構成が、前記第1のTTIとは異なる第2のTTIに特有である段階と、
使用TTIとして前記第1のTTIまたは前記第2のTTIを選択し、前記選択したTTIの指示情報を生成する段階と、
前記ネットワークが前記指示情報に従ってコモンエンハンスト専用チャネルリソースを割り振るよう、前記指示情報を前記ネットワークに送信する段階とを含むことを特徴とする方法。
【請求項６】
前記セルブロードキャストメッセージを前記ネットワークから受信する前記段階が、
前記セルブロードキャストメッセージを受信する段階であって、前記セルブロードキャストメッセージ中で、前記コモンエンハンスト専用チャネルリソースが、前記第1のTTIに特有の第1のリソースサブセットと前記第2のTTIに特有の第2のリソースサブセットとにグループ化された段階を含む、請求項5に記載の方法。
【請求項７】
前記割り振られたコモンエンハンスト専用チャネルリソースの通知を受信する段階と、
前記選択されたTTIに従って前記第1のパラメータ構成または前記第2のパラメータ構成を選択する段階とをさらに含む、請求項5に記載の方法。
【請求項８】
セルブロードキャストメッセージを端末デバイスに送信するように構成されたブロードキャスティングユニットであって、前記セルブロードキャストメッセージが、コモンエンハンスト専用チャネルリソースに対応する、第1のパラメータ構成の記述情報および第2のパラメータ構成の記述情報を含み、前記第1のパラメータ構成が第1の送信時間間隔(TTI)に特有であり、前記第2のパラメータ構成が、前記第1のTTIとは異なる第2のTTIに特有であるブロードキャスティングユニットと、
前記端末デバイスから送信された指示情報を受信するように構成された受信ユニットであって、前記指示情報が、前記端末デバイスが使用TTIとして前記第1のTTIまたは前記第2のTTIを選択することを示すものである受信ユニットと、
前記指示情報に従ってコモンエンハンスト専用チャネルリソースを前記端末デバイスに割り振るように構成された割振りユニットとを備えることを特徴とする基地局デバイス。
【請求項９】
前記ブロードキャスティングユニットが前記セルブロードキャストメッセージを前記端末デバイスに送信し、前記セルブロードキャストメッセージ中で、前記コモンエンハンスト専用チャネルリソースが、前記第1のTTIに特有の第1のリソースサブセットと前記第2のTTIに特有の第2のリソースサブセットとにグループ化される、請求項8に記載の基地局デバイス。
【請求項１０】
前記割振りユニットが、前記選択されたTTIが前記第1のTTIであることを前記指示情報が示すときに、前記第1のリソースサブセット中のコモンエンハンスト専用チャネルリソースを前記端末デバイスに割り振り、前記選択されたTTIが前記第2のTTIであることを前記指示情報が示すときに、前記第2のリソースサブセット中のコモンエンハンスト専用チャネルリソースを前記端末デバイスに割り振る、請求項9に記載の基地局デバイス。
【請求項１１】
前記端末デバイスに対する拒否回数を記録して、前記記録された回数を無線ネットワークコントローラに送信するように構成された記録ユニットをさらに備え、それにより前記無線ネットワークコントローラが前記回数に従って前記第1のリソースサブセットおよび前記第2のリソースサブセット中の前記コモンエンハンスト専用チャネルリソースを調整する、請求項9に記載の基地局デバイス。
【請求項１２】
セルブロードキャストメッセージをネットワークから受信するように構成された受信ユニットであって、前記セルブロードキャストメッセージが、コモンエンハンスト専用チャネルリソースに対応する、第1のパラメータ構成の記述情報および第2のパラメータ構成の記述情報を含み、前記第1のパラメータ構成が第1の送信時間間隔(TTI)に特有であり、前記第2のパラメータ構成が、前記第1のTTIとは異なる第2のTTIに特有である受信ユニットと、
使用TTIとして前記第1のTTIまたは前記第2のTTIを選択し、前記選択したTTIの指示情報を生成するように構成された選択ユニットと、
前記ネットワークが前記指示情報に従ってコモンエンハンスト専用チャネルリソースを割り振るよう、前記指示情報を前記ネットワークに送信するように構成された送信ユニットとを備えることを特徴とする端末デバイス。
【請求項１３】
前記受信ユニットがさらに、前記割り振られたコモンエンハンスト専用チャネルリソースの通知を受信するように構成され、
前記選択ユニットがさらに、前記選択したTTIに従って前記第1のパラメータ構成または前記第2のパラメータ構成を選択するように構成される、請求項12に記載の端末デバイス。
【請求項１４】
前記受信ユニットが前記セルブロードキャストメッセージを受信し、前記セルブロードキャストメッセージ中で、前記コモンエンハンスト専用チャネルリソースが、前記第1のTTIに特有の第1のリソースサブセットと前記第2のTTIに特有の第2のリソースサブセットとにグループ化される、請求項12に記載の端末デバイス。
【請求項１５】
請求項8から11のいずれか一項に記載の基地局デバイスと、
請求項12から14のいずれか一項に記載の端末デバイスとを備えることを特徴とする通信システム。
【請求項１６】
前記基地局デバイスによって記録された、前記端末デバイスに対する拒否回数を受信し、前記回数に従って前記第1のリソースサブセットおよび前記第2のリソースサブセット中の前記コモンエンハンスト専用チャネルリソースを調整するように構成された無線ネットワークコントローラをさらに備える、請求項15に記載の通信システム。
【国際調査報告】
2014511080.tif 000017
2014511080.tif 000018
2014511080.tif 000019
2014511080.tif 000020